(57)【要約】装置規模及び消費電力を増大させることなく、チャンネルリストを切り替えるデジタル放送受信装置を開示する。この装置では、スケジュール制御部（１２５）は、時刻情報取得部（１０５）から現在時刻を取得し、スケジュール記憶部（１０８）に記憶された現在時刻に対応するチャンネルリスト識別情報を読み出し、全体制御部（１２１）は、スケジュール制御部（１２５）が読み出したチャンネル識別情報に従って、チャンネルリスト記憶部（１０７）に記憶されたチャンネルリストを読み出し、読み出したチャンネルリストをカレントに設定する。周波数チャンネル選局部（１２２）はカレントに設定されたチャンネルリストのラストチャンネルの示す周波数チャンネルで選局を行い、また、サービスチャンネル選局部（１２４）はラストチャンネルの示すサービスチャンネルで選局を行う。【特許請求の範囲】
【請求項１】
複数の異なる放送エリアにそれぞれ対応する複数のチャンネルリストに時刻を対応付けて記憶する記憶手段と、
現在時刻情報を取得する時刻情報取得手段と、
前記時刻情報取得手段によって取得された現在時刻と前記記憶手段に記憶された時刻とが対応するチャンネルリストを現在使用可能なチャンネルリストとして用いるチャンネルリスト制御手段と、
を具備するデジタル放送受信装置。
【請求項２】
現在使用可能なチャンネルリストとして用いられている第１のチャンネルリストに含まれるサービスチャンネルを選局する選局手段を具備し、
前記チャンネルリスト制御手段は、現在使用可能なチャンネルリストとして前記第１のチャンネルリストから前記第１のチャンネルリストとは異なる第２のチャンネルリストに切り替える際、前記選局手段が選局しているサービスチャンネルが前記第２のチャンネルリストに含まれている場合、前記選局手段が選局しているサービスチャンネルの選局を維持させつつ、チャンネルリストを切り替える
請求項１に記載のデジタル放送受信装置。
【請求項３】
前記チャンネルリスト制御手段は、前記選局手段が選局しているサービスチャンネルが前記第１のチャンネルリストとは異なる第２のチャンネルリストに含まれていない場合、前記選局手段が選局しているサービスチャンネルの選局が中断されてからチャンネルリストを切り替える請求項１に記載のデジタル放送受信装置。
【請求項４】
前記チャンネルリスト制御手段は、前記第１のチャンネルリストに含まれるチャンネルの選局が前記選局手段において失敗した場合、または、前記選局手段が選局しているサービスチャンネルの選局が中断された場合、前記時刻情報取得手段によって取得された現在時刻に近い時刻が対応付けられた第２のチャンネルリストに含まれるチャンネルのうち、前記第１のチャンネルリストには含まれないチャンネル、または、前記第２のチャンネルリストが現在使用可能なチャンネルとして前回用いられた際に最後に選局されていたチャンネルで前記選局手段に選局させ、選局が成功することを条件に前記第２のチャンネルリストに切り替える請求項１に記載のデジタル放送受信装置。
【請求項５】
前記チャンネルリスト制御手段は、前記選局手段による選局が成功した周波数チャンネルの組合せが、前記記憶手段に記憶されたチャンネルリストにおける周波数チャンネルのいずれの組合せとも異なる場合、現在地における放送エリアに対応する新規チャンネルリストを取得する請求項１に記載のデジタル放送受信装置。
【請求項６】
前記チャンネルリスト制御手段は、前記記憶手段に記憶された全てのチャンネルリストに含まれるチャンネルでの選局が前記選局手段において失敗した場合、前記選局手段に周波数チャンネルで選局が成功するまでチャンネルサーチを行わせ、現在地における放送エリアに対応する新規チャンネルリストを取得する請求項１に記載のデジタル放送受信装置。
【請求項７】
前記チャンネルリスト制御手段は、前記第１のチャンネルリストから前記第２のチャンネルリストへの切り替えが、前記記憶手段に記憶された前記第２のチャンネルリストに対応付けられた時間よりも遅い場合、前記第２のチャンネルリストに対応付けられた時刻をチャンネルリストの切り替え時における時刻に更新する請求項３に記載のデジタル放送受信装置。
【請求項８】
前記チャンネルリスト制御手段は、前記第１のチャンネルリストから前記第２のチャンネルリストへの切り替えが、前記記憶手段に記憶された前記第２のチャンネルリストに対応付けられた時間よりも早い場合、前記第２のチャンネルリストに対応付けられた時刻をチャンネルリストの切り替え時における時刻に更新する請求項４に記載のデジタル放送受信装置。
【請求項９】
前記チャンネルリスト制御手段は、前記記憶手段に記憶された時刻の順とは異なるチャンネルリストに切り替える場合、切り替えられたチャンネルリストを切り替えた時刻に対応付けて前記記憶手段に新たに記憶させる請求項１に記載のデジタル放送受信装置。
【請求項１０】
前記チャンネルリスト制御手段は、前記記憶手段に新たに記憶された時刻が対応付けられたチャンネルリストに切り替えることなく、次のチャンネルリストに切り替える場合、切り替えられなかったチャンネルリストを前記記憶手段から削除する請求項９に記載のデジタル放送受信装置。
【請求項１１】
前記選局手段は、選局している前記第１のチャンネルリストに含まれるサービスチャンネルが前記第１のチャンネルリストとは異なる第２のチャンネルリストに含まれていない場合、選局しているサービスチャンネルを提供する放送局と同一の系列局のチャンネルで選局する請求項１に記載のデジタル放送受信装置。
【請求項１２】
前記選局手段は、選局している前記第１のチャンネルリストに含まれるサービスチャンネルが前記第１のチャンネルリストとは異なる第２のチャンネルリストに含まれていない場合、前記第２のチャンネルリストが現在使用可能なチャンネルとして前回用いられた際に最後に選局されていたチャンネルで選局する請求項１に記載のデジタル放送受信装置。
【請求項１３】
前記選局手段は、前記第１のチャンネルリストとは異なる第２のチャンネルリストに含まれる放送局の番組情報に基づいて、前記第１のチャンネルリストに含まれるチャンネルで選局していた番組と同一の番組を放送するチャンネルで選局する請求項１に記載のデジタル放送受信装置。
【発明の詳細な説明】
【技術分野】
【０００１】  本発明は、デジタル放送受信装置に関し、特に、チャンネルリストの切り替えを行うデジタル放送受信装置に関する。
【背景技術】
【０００２】  近年、テレビの視聴及び録画が可能な携帯電話等の小型携帯端末が普及しつつあり、ユーザは移動中又は移動先でもテレビの電波を受信できれば場所に制約されることなくテレビを視聴及び録画することができる。【０００３】  このような小型携帯端末に対して、地上波デジタル放送では、１つのチャンネルの帯域（６ＭＨｚ）を１３分割したうちの１つ（１セグメント）を割り当て、データ放送サービスが行われる予定である。このデータ放送サービスを部分受信放送という。なお、１セグメントで送信される情報量は非常に少なく、番組情報などは最大でも１０番組先の情報までしか含めることができない。ちなみに、番組情報としてはＰＳＩ（Ｐｒｏｇｒａｍ  Ｓｐｅｃｉｆｉｃ  Ｉｎｆｏｒｍａｔｉｏｎ）やＳＩ（Ｓｅｒｖｉｃｅ  Ｉｎｆｏｒｍａｔｉｏｎ）が知られており、ＰＳＩは所望の番組を選択するために必要な情報である。また、ＳＩは番組選択の利便性のために規定された各種情報であり、番組名や放送局名などのＥＰＧ（Ｅｌｅｃｔｒｏｎｉｃ  Ｐｒｏｇｒａｍ  Ｇｕｉｄｅ）に関連する情報である。さらに、全国の放送局に割り当てられた放送局識別子、及び、放送局が所属するキー局を示した系列局情報などもＳＩに含まれる。【０００４】  また、地上波デジタル放送では、放送局が映像、音声、その他の番組情報といった複数のデータを１本のストリームに多重化する際、ＭＰＥＧのプロトコルであるＭＰＥＧ−２  ＴＳ（Ｔｒａｎｓｐｏｒｔ  Ｓｔｒｅａｍ）が用いられ、多重化されたストリームが受信側で分離され、多重化前のデータが取得される。以下、本明細書において、単にＴＳと記載した場合は、放送局が送出する部分受信放送のデータ全てを意味するものとする。【０００５】  このようにデジタル放送は複数のデータを多重化することができるため、アナログ放送とは異なり、１つの周波数帯域でも複数のチャンネルを運用することができる。ここで、混乱及び誤用を避けるため、本明細書におけるチャンネルの概念について定義する。チャンネルには、物理的なチャンネルと論理的なチャンネルがあり、物理チャンネルはアナログ放送でも用いられており、物理的な周波数の割り当てチャンネル（以下、「周波数チャンネル」という）である。周波数チャンネルは、地上波デジタル放送において、１３ｃｈから６２ｃｈまでが割り当てられている。次に、論理チャンネルは、周波数チャンネル内の複数の番組編成（以下、「サービス」という）を識別する論理的なチャンネルであり、サービスチャンネルという。このような周波数チャンネルとサービスチャンネルを総称してチャンネルという。【０００６】  ちなみに、上述した周波数チャンネルをリモコンなどのワンタッチボタンの番号に割り付けて簡易表記することがあり、この番号をリモコン番号という。受信中の放送局のリモコン番号はＰＳＩ情報により得ることができる。リモコン番号による選局が行われた場合、１つの周波数チャンネルに含まれる複数のサービスチャンネルのうち、プライマリサービスと呼ばれる主サービスが選局される。さらに、このリモコン番号とサービスチャンネルの値から計算され、ユーザが周波数チャンネル内のサービスを直接指定する番号を３桁番号という。ユーザの設定によりリモコン番号を変更することも可能であり、この場合、変更したリモコン番号をリモコンキー番号といい、リモコンキー番号による選局手順はリモコン番号による選局手順と同一である。参考までに図１にチャンネルの定義を概念的に示す。図１では、３つのサービスとＰＳＩ情報やＳＩ情報といった番組情報とでＴＳを構成しており、サービスＩＤ：Ｄ９Ａ０（プライマリサービス）が一般的な放送、サービスＩＤ：Ｄ９Ａ１が英語放送、サービスＩＤ：Ｄ９Ａ２がデータ放送を行い、番組Ａ〜Ｆを放送する様子を示している。そして、周波数チャンネルを２１ｃｈ、リモコン番号を８、３桁番号を６８１、６８２、６８３、サービスＩＤをＤ９Ａ０、Ｄ９Ａ１、Ｄ９Ａ２として例示している。【０００７】  ところで、このようなテレビ視聴が可能な携帯端末は、端末が放送エリアを越えて移動した場合、移動先の放送エリアに対応するチャンネルリストを有していないとテレビを視聴することができない。【０００８】  そこで、特許文献１に開示された発明がなされている。図２は、特許文献１に記載されたデジタル放送受信装置の構成を示すブロック図である。この図において、地上デジタルテレビ放送を受信する第１受信装置３０を用いて視聴を継続しつつ、地上デジタルラジオ放送を受信する第２受信装置３１を用いてチャンネルサーチを行うことにより、現時点におけるチャンネルリストを作成し、放送エリアが変更した場合には、作成したチャンネルリストに変更してテレビを視聴することができる。
【特許文献１】特開２００４−６４５９０号公報
【発明の開示】
【発明が解決しようとする課題】
【０００９】  しかしながら、上述した特許文献１に記載のデジタル放送受信装置では、２台の受信装置を備えることから、装置規模及び消費電力が増大してしまう。【００１０】  本発明の目的は、装置規模及び消費電力を増大させることなく、チャンネルリストを切り替えるデジタル放送受信装置を提供することである。
【課題を解決するための手段】
【００１１】  本発明のデジタル放送受信装置は、複数の異なる放送エリアにそれぞれ対応する複数のチャンネルリストに時刻を対応付けて記憶する記憶手段と、現在時刻情報を取得する時刻情報取得手段と、前記時刻情報取得手段によって取得された現在時刻と前記記憶手段に記憶された時刻とが対応するチャンネルリストを現在使用可能なチャンネルリストとして用いるチャンネルリスト制御手段と、を具備する構成を採る。【００１２】  この構成によれば、デジタル放送受信装置が移動により放送エリアを越える予定時刻をチャンネルリストと対応付けて記憶しておけば、チャンネル制御手段が現在時刻と対応するチャンネルリストを現在使用可能なチャンネルリストとして用いることにより、移動先の放送エリアに対応したチャンネルリストを用いることができる。
【発明の効果】
【００１３】  本発明によれば、複数の異なる放送エリアにそれぞれ対応する複数のチャンネルリストに時刻を対応付け、現在時刻と対応するチャンネルリストを現在使用可能なチャンネルリストとして用いることにより、装置規模及び消費電力を増大させることなく、チャンネルリストを切り替えるデジタル放送受信装置を提供することができる。
【図面の簡単な説明】
【００１４】
【図１】チャンネルの定義を概念的に示す図
【図２】特許文献１に記載されたデジタル放送受信装置の構成を示すブロック図
【図３】本発明の実施の形態１に係るデジタル放送受信装置の構成を示すブロック図
【図４】図３に示したチャンネルリスト記憶部が有するチャンネルリストを示す図
【図５】図３に示したスケジュール記憶部が有するスケジュール情報を示す図
【図６】図３に示した制御部の内部構成を示すブロック図
【図７】図３に示したデジタル放送受信装置の起動から終了までの一連の動作を示すフロー図
【図８】図７に示した選局処理の手順を示すフロー図
【図９】図８に示したチャンネルリスト特定処理の手順を示すフロー図
【図１０】図７に示したテレビ再生中のチャンネルリスト切り替え処理の手順を示すフロー図
【図１１】図１０に示したテレビ再生異常時選局処理の手順を示すフロー図
【図１２】図７に示した自動スケジュール修正処理の手順を示すフロー図
【発明を実施するための最良の形態】
【００１５】  以下、本発明の実施の形態について、図面を参照して詳細に説明する。【００１６】  （実施の形態１）
本発明の実施の形態１に係るデジタル放送受信装置１００は、図３に示すように、チューナ部１０２は、アンテナ１０１を介して受信した放送波からユーザによって指定されたチャンネルの周波数信号を抽出し、抽出した周波数信号の符号復調処理を行う。復調処理された信号は多重化分離部１０３及び制御部１０６に出力される。【００１７】  多重化分離部１０３は、チューナ部１０２から出力された信号を映像情報、音声情報、番組情報などに分離し、映像情報を映像処理部１０９に、音声情報を音声処理部１１１に、番組情報などを制御部１０６に出力する。【００１８】  入力部１０４は、ボタンキー等であり、これによってユーザはチャンネルや番組情報などの予約情報を制御部１０６に入力する。時刻情報取得部１０５は、現在時刻を計測し、計測した現在時刻を制御部１０６に通知する。【００１９】  制御部１０６は、デジタル放送受信装置１００内の各部を制御することにより、テレビ再生、選局などを行う。【００２０】  チャンネルリスト記憶部１０７は、受信可能な放送波を検出し、リモコン番号と対応付けるチャンネルサーチにより、サーチした時点で受信可能な放送局の情報を受信チャンネルリストとして記録する不揮発メモリである。また、チャンネルリスト記憶部１０７は、図４に示すように、異なる放送エリア毎に複数のチャンネルリストを備え、各チャンネルリストには、リモコン番号、３桁番号、周波数チャンネル、リモコンキー番号、放送局識別子、サービスＩＤ、受信レベル、系列局情報などが含まれる。ちなみに、図４Ａは自宅を含む放送エリアに対応するチャンネルリストであり、図４Ｂは通勤途中を含む放送エリアに対応するチャンネルリストであり、図４Ｃは会社を含む放送エリアに対応するチャンネルリストである。また、図４に示す受信レベルは、受信電界強度、搬送波電力対雑音電力比、ビット誤り率などの受信感度パラメータを使用して計算される受信感度を示す値である。ここでは、受信レベルを０から１００までの値で示す場合を例示している。このように各チャンネルリストには自宅、通勤、会社などといったチャンネルリスト識別情報が付されている。また、それぞれのチャンネルリストが現在使用可能なチャンネルリストとしてカレントに設定されていた際に、最後に選局されたチャンネル（以下、「ラストチャンネル」という）がチャンネルリスト毎に記憶されている。【００２１】  スケジュール記憶部１０８は、チャンネルリスト記憶部１０７に記憶されたチャンネルリストをカレントに設定する時刻（切り替え時刻）がスケジュールされた情報を記憶する不揮発メモリである。また、スケジュール記憶部１０８は、図５に示すように、切り替え時刻とチャンネルリスト識別情報とが対応付けられている。図５Ａは平日用のスケジュール情報を示しており、図５Ｂは休日用のスケジュール情報を示している。このように、ユーザの定期的、周期的な移動スケジュールに対応してチャンネルリストが記憶されている。なお、チャンネルリスト記憶部１０７及びスケジュール記憶部１０８は記憶手段として機能する。【００２２】  映像処理部１０９は、多重化分離部１０３から出力され、Ｈ．２６４などの映像圧縮方式により符号化された映像ストリームを復号し、復号した信号を表示部１１０に出力し、表示部１１０は、映像処理部１０９から出力された画像を表示する。【００２３】  音声処理部１１１は、多重化分離部１０３から出力され、ＡＡＣ（Ａｄｖａｎｃｅｄ  Ａｕｄｉｏ  Ｃｏｄｉｎｇ）などの音声圧縮方式により符号化された音声ストリームを復号し、復号した信号を音声出力部１１２に出力し、音声出力部１１２は、音声処理部１１１から出力された音声を出力する。【００２４】  次に、上述した制御部１０６の内部構成について図６を用いて説明する。この図において、全体制御部１２１は、入力部１０４からリモコン番号又は３桁番号が入力されると、時刻情報取得部１０５から現在時刻を取得し、スケジュール制御部１２５及びチャンネルリスト制御部１２６を制御することにより、現在時刻に応じたチャンネルリストをカレントに設定し、周波数チャンネル選局部１２２、放送解析部１２３及びサービスチャンネル選局部１２４を制御することにより、選局を開始する。また、あるチャンネルで選局中にチャンネルリストの切り替え時刻になると、後述するスケジュール制御部１２５から切り替え通知を受け、チャンネルリストを実際に切り替えるか判断する。さらに、エリアが圏外になるなどの異常が生じた場合もチャンネルリストを切り替える制御を行って、選局を開始する。【００２５】  周波数チャンネル選局部１２２は、全体制御部１２１からの指示を受け、チューナ部１０２に周波数チャンネルを設定し、設定した周波数チャンネルに受信可能な放送波（ＴＳ）がある場合は、周波数チャンネル選局の成功とし、チューナ部１０２から多重化分離部１０３へＴＳのまま出力させる。受信可能な放送波（ＴＳ）がない場合は、周波数チャンネル選局の失敗とし、全体制御部１２１にその旨通知する。【００２６】  放送解析部１２３は、全体制御部１２１の指示を受け、多重化分離部１０３の設定と、多重化分離部１０３によって分離されたデータの解析を行う。この解析により得られる放送局情報、ＴＳのサービス構成などを全体制御部１２１に通知する。また、チューナ部１０２の状態を監視し、デジタル放送受信装置が圏外に移動した場合も、その旨全体制御部１２１に通知する。【００２７】  サービスチャンネル選局部１２４は、全体制御部１２１の指示を受け、ＴＳ内の指定サービスの映像、音声などのストリームを抽出するように多重化分離部１０３を設定すると共に、抽出されたストリームを映像処理部１０９及び音声処理部１１１に出力するように設定する。【００２８】  スケジュール制御部１２５は、全体制御部１２１の指示を受け、スケジュール記憶部１０８のスケジュール情報を管理する。また、時刻情報取得部１０５から現在時刻を取得し、チャンネルリストの切り替え時刻になったか否かを確認し、切り替え時刻に該当するチャンネルリストがあると、その旨、全体制御部１２１に通知する。【００２９】  チャンネルリスト制御部１２６は、チャンネルリスト記憶部１０７に対する読み出し制御及び書き込み制御を行う。例えば、チャンネルリスト記憶部１０７に記憶された複数のチャンネルリストのうちカレントに設定するチャンネルリストを切り替え、チャンネルリストの更新、ラストチャンネルの管理を行う。【００３０】  次に、上記構成を有するデジタル放送受信装置１００の起動から終了までの一連の動作について図７を用いて説明する。図７において、ステップ（以下、「ＳＴ」と省略する）１３１では、スケジュール制御部１２５が時刻情報取得部１０５から現在時刻を取得し、現在時刻に対応するチャンネルリスト識別情報をスケジュール記憶部１０８から読み出し、読み出したチャンネル識別情報を全体制御部１２１を介してチャンネルリスト制御部１２６に通知する。チャンネルリスト制御部１２６は、通知されたチャンネルリスト識別情報に従って、チャンネルリスト記憶部１０７からチャンネルリストを読み出し、読み出したチャンネルリストを全体制御部１２１に出力する。全体制御部１２１は、チャンネルリスト制御部１２６から出力されたチャンネルリストをカレントに設定する。【００３１】  ＳＴ１３２では、全体制御部１２１がカレントに設定したチャンネルリストからラストチャンネルを取得し、ＳＴ１３３では、ラストチャンネルの示す周波数チャンネルで周波数チャンネル選局部１２２が選局を行い、また、ラストチャンネルの示すサービスチャンネルでサービスチャンネル選局部１２４が選局を行う。選局処理の詳細については後述する。【００３２】  ＳＴ１３４では、ＳＴ１３３において選局されたチャンネルでテレビ再生中にチャンネルリスト切り替え時刻になり、チャンネルリストの切り替えを行う。テレビ再生中のチャンネルリスト切り替え処理の詳細については後述する。【００３３】  ＳＴ１３５では、全体制御部１２１がチャンネルリスト切り替え要求の有無を確認し、切り替え要求があれば（ＹＥＳ）ＳＴ１３６に移行し、切り替え要求がなければ（ＮＯ）ＳＴ１３８に移行する。チャンネルリスト切り替え要求は、例えば、ユーザが入力部１０４から行うことが考えられる。【００３４】  ＳＴ１３６では、全体制御部１２１がチャンネルリスト切り替え要求で指示されたチャンネルリストをカレントに設定することによりチャンネルリストを切り替え、ＳＴ１３７では、全体制御部１２１が切り替えたチャンネルリストの識別情報とチャンネルリストを切り替えた時刻とをスケジュール制御部１２５に通知し、スケジュール制御部１２５が通知されたチャンネルリスト識別情報と切り替え時刻とをスケジュール記憶部１０８に記憶させ、ＳＴ１３３に戻る。ＳＴ１３７における処理を自動スケジュール修正処理と称し、自動スケジュール修正処理の詳細については後述する。【００３５】  ＳＴ１３８では、ユーザなどによるデジタル放送受信装置１００の終了要求があるか否かを判定し、終了要求がある（ＹＥＳ）と判定されたらＳＴ１３９に移行し、終了要求がない（ＮＯ）と判定されたらＳＴ１４０に移行する。【００３６】  ＳＴ１３９では、ＳＴ１３８における終了要求を受けて、ＳＴ１３７と同様に自動スケジュール修正処理を行うことにより、対象となるスケジュール情報を削除する。デジタル放送受信装置１００を終了する際に、対象となるスケジュール情報を削除しないと、削除するべきスケジュール情報が記憶されたままになるため、これを回避することができる。【００３７】  ＳＴ１４０では、ユーザなどによる選局要求があるか否かを判定し、選局要��がある（ＹＥＳ）と判定されたらＳＴ１３３に戻り、選局要求がない（ＮＯ）と判定されたらＳＴ１３４に戻る。【００３８】  次に、図７のＳＴ１３３における選局処理の詳細な手順について図８を用いて説明する。図８において、ＳＴ１５１では、周波数チャンネル選局部１２２が全体制御部１２１から指定された周波数チャンネルでチューナ部１０２を設定し、放送波（ＴＳ）の受信を試みる。【００３９】  ＳＴ１５２では、ＳＴ１５１における周波数チャンネル選局が成功したか否かが全体制御部１２１において判定され、成功した（ＹＥＳ）と判定されたらＳＴ１５３に移行し、失敗した（ＮＯ）と判定されたらＳＴ１５６に移行する。【００４０】  ＳＴ１５３では、ＳＴ１５１における周波数チャンネル選局により得られた放送波（ＴＳ）を解析し、解析結果が示す放送局とチャンネルがカレントに設定されているチャンネルリストと一致するか確認する。一致しない場合は、一致するチャンネルリストに切り替える、または、チャンネルリスト記憶部１０７に記憶されていない新規のチャンネルリストを作成し、作成した新規のチャンネルリストに切り替え、ＳＴ１５４に移行する。ＳＴ１５３における処理をチャンネルリスト特定処理と称し、チャンネルリスト特定処理の詳細については後述する。【００４１】  ＳＴ１５４では、ＳＴ１５３におけるチャンネルリスト特定処理によりカレントに設定されたチャンネルリストが現在時刻に対応するチャンネルリストと一致するか否かが全体制御部１２１において判定される。一致する（ＹＥＳ）と判定されたらＳＴ１５８に移行し、一致しない（ＮＯ）と判定されたらＳＴ１５５に移行する。【００４２】  ＳＴ１５５では、図７に示したＳＴ１３７における自動スケジュール修正処理が行われ、ＳＴ１５８に移行する。【００４３】  ＳＴ１５６では、チャンネルリスト記憶部１０７に記憶されている全てのチャンネルリストについて周波数チャンネル選局を行ったか否かが全体制御部１２１において判定され、行っている（ＹＥＳ）と判定されたらＳＴ１５７に移行し、行っていない（ＮＯ）と判定されたらＳＴ１５９に移行する。【００４４】  ＳＴ１５７では、全体制御部１２１が選局処理開始時のチャンネルリストをカレントに設定、すなわち、チャンネルリストを元に戻し、ＳＴ１５８では、選局結果を表示部１１０に表示する。チャンネルリストが切り替えられた場合はその旨表示する。【００４５】  ＳＴ１５９では、スケジュール制御部１２５がスケジュール記憶部１０８に記憶されたスケジュール情報を現在時刻に近い順にソートしているか否かが判定され、ソートされている（ＹＥＳ）と判定されたらＳＴ１６１に移行し、ソートされていない（ＮＯ）と判定されたらＳＴ１６０に移行する。【００４６】  ＳＴ１６０では、スケジュール制御部１２５がスケジュール記憶部１０８に記憶されたスケジュール情報を現在時刻に近い順にソートする。【００４７】  ＳＴ１６１では、ＳＴ１６０においてソートされた順、すなわち、現在時刻に近い順にチャンネルリストを切り替え、ＳＴ１５１に戻る。【００４８】  次に、図８のＳＴ１５３におけるチャンネルリスト特定処理の詳細な手順について図９を用いて説明する。図９において、ＳＴ���７１では、図８のＳＴ１５２における周波数チャンネル選局の成功を受けて、この周波数チャンネルの放送波（ＴＳ）に含まれるＰＳＩ／ＳＩセクションが放送解析部１２３において解析される。具体的には、ＴＳのサービス構成が記載されたＮＩＴ（Ｎｅｔｗｏｒｋ  Ｉｎｆｏｍａｔｉｏｎ  Ｔａｂｌｅ）のサービスリストの記述子やＴＳ内の部分受信サービスＩＤ（サービスチャンネル）が記載されたＮＩＴの部分受信記述子、１サービスの構成が記載されたＰＭＴ（Ｐｒｏｇｒａｍ  Ｍａｐ  Ｔａｂｌｅ）などが解析される。これにより、入力部１０４から入力された３桁番号に対応するサービスがＴＳに含まれるか否かが判定される。サービスチャンネルが含まれる（ＹＥＳ）と判定されたらＳＴ１７２に移行し、含まれない（ＮＯ）と判定されたらＳＴ１７３に移行する。【００４９】  ＳＴ１７２では、入力部１０４から入力された３桁番号に対応するサービスチャンネルを選局し、ＴＳ内の指定されたサービスで提供される映像を映像処理部１０９に、また、音声を音声処理部１１１に出力するようにサービスチャンネル選局部１２４が多重化分離部１０３を設定し、ＳＴ１７５に移行する。【００５０】  ＳＴ１７３では、チャンネルリスト記憶部１０７に記憶されたチャンネルリストにおいて、選局した周波数チャンネルに対応する放送局情報と、選局したチャンネルの放送波に含まれるセクションデータの放送局情報（以下、単に「受信放送局情報」という）とが一致するか否かが全体制御部１２１において判定される。具体的にはＢＩＴ（Ｂｒｏａｄｃａｓｔｅｒ  Ｉｎｆｏｒｍａｔｉｏｎ  Ｔａｂｌｅ）に含まれる放送局識別情報や、各ＰＳＩ／ＳＩに含まれるネットワーク識別情報や、ＴＳ識別情報などを解析する。一致する（ＹＥＳ）と判定されたらＳＴ１７４に移行し、一致しない（ＮＯ）と判定されたらＳＴ１７６に移行する。【００５１】  ＳＴ１７４では、サービスチャンネル選局部１２４がプライマリサービスチャンネルを選局し、ＴＳ内のプライマリサービスで提供される映像を映像処理部１０９に、また、音声を音声処理部１１１に出力するようにサービスチャンネル選局部１２４が多重化分離部１０３を設定し、ＳＴ１７５に移行する。【００５２】  ＳＴ１７５では、選局されたサービスチャンネルを含むチャンネルリストがカレントに設定されていなければ、チャンネルリスト制御部１２６が該チャンネルリストをカレントに設定し、チャンネルリスト特定処理を終了する。これにより、ユーザが存在する放送エリアに対応したチャンネルリストの利便性を向上させることができる。【００５３】  ＳＴ１７６では、全体制御部１２１がチャンネルリスト制御部１２６を介して受信チャンネルリスト記憶部１０７に記憶された全てのチャンネルリストを検索し、受信放送局情報と一致する放送局情報が存在するか否かを判定する。存在する（ＹＥＳ）と判定されたらＳＴ１７７に移行し、存在しない（ＮＯ）と判定されたらＳＴ１７８に移行する。【００５４】  ＳＴ１７７では、チャンネルリスト制御部１２６が、受信放送局情報と一致する放送局情報を含むチャンネルリストをカレントに設定し、チャンネルリスト特定処理を終了する。【００５５】  ＳＴ１７８では、チャンネルリ��ト記憶部１０７に記憶された複数のチャンネルリストにそれぞれ対応する放送エリアとは異なる放送エリアであることを全体制御部１２１が表示部１１０に表示させ、新たなチャンネルリストを作成するようにユーザに要求する。または新規のチャンネルリストを作成し、受信可能なチャンネルに選局されたチャンネルを記入する。切り替え選局中に既にチャンネルサーチが行われていた場合は、サーチ結果を新規のチャンネルリストとする。そして、チャンネルリスト特定処理を終了する。これにより、現在地における放送エリアに対応する新規チャンネルリストを取得することになり、いずれの放送エリアにおいてもその放送エリアに対応するチャンネルリストを取得することができる。【００５６】  次に、図７に示したＳＴ１３４におけるテレビ再生中のチャンネルリスト切り替え処理の詳細な手順について図１０を用いて説明する。図１０において、ＳＴ１８１では、全体制御部１２１がカレントに設定されているチャンネルリストが現在時刻に対応するチャンネルリストであるか否かを判定する。現在時刻に対応するチャンネルリストである（ＹＥＳ）と判定されたら、テレビ再生中のチャンネルリスト切り替え処理を終了し、現在時刻に対応しないチャンネルリストである（ＮＯ）と判定されたらＳＴ１８２に移行する。【００５７】  ＳＴ１８２では、放送波が正常に受信され、映像及び音声が再生されているかを判定する。放送波を正常に受信している（ＹＥＳ）と判定されたら、ＳＴ１８３に移行する。一方、受信状態が悪く、映像又は音声などがアンダーフローを起こし、再生が停止するような場合など、放送波を正常に受信していない、すなわち、異常受信である（ＮＯ）と判定されたら、ＳＴ１８５に移行する。ここでは、放送波を正常に受信できない原因が単に圏外になったからなのか、放送エリアが変更になったからなのか判定できないため、むやみにチャンネルリストを切り替えないようにした。したがって、選局動作を行うか、あるいはチャンネルリスト切り替え時刻にならない限り、チャンネルリストの切り替えは行わない。【００５８】  ＳＴ１８３では、現在カレントに設定されているチャンネルリストの次にスケジューリングされているチャンネルリストに、現在テレビ再生中のチャンネル（周波数チャンネル及びサービスチャンネル）が含まれているか否かを確認し、含まれていれば（ＹＥＳ）ＳＴ１８４に移行し、含まれていなければ（ＮＯ）テレビ再生中のチャンネルリスト切り替え処理を終了する。【００５９】  ＳＴ１８４では、現在時刻に対応するチャンネルリストに切り替える。このとき、選局動作は行わず、テレビ再生を継続し、ＳＴ１８６に移行する。すなわち、テレビ再生を継続したまま、チャンネルリストの切り替えを行う。これにより、チャンネルリスト切り替え時刻になっても、切り替え前のチャンネルリストに含まれるチャンネルを正常に受信し、テレビ再生が行われていれば、チャンネルリストの切り替え及び選局によってテレビ再生が中断することを回避することができる。【００６０】  ＳＴ１８５では、チャンネルリスト切り替え処理を行い、切り替えたチャンネルリストで正しいか否かを判定したり、異なる放送エリアのチャンネルリストではない���を判定したりする。このＳＴ１８５における処理をテレビ再生異常時選局処理と称し、テレビ再生異常時選局処理の詳細については後述する。【００６１】  ＳＴ１８６では、チャンネルリストを切り替えたことをユーザに通知し、ＳＴ１８７では、図７に示したＳＴ１３７における自動スケジュール修正処理が行われ、テレビ再生中のチャンネルリスト切り替え処理を終了する。【００６２】  次に、図１０に示したＳＴ１８５におけるテレビ再生異常時選局処理の詳細な手順について図１１を用いて説明する。図１１において、ＳＴ１９１では、現在時刻に対応するチャンネルリストをカレントに設定し、ＳＴ１９２では、周波数チャンネル選局を行い、周波数チャンネル選局が成功したか否かが全体制御部１２１において判定される。成功した（ＹＥＳ）と判定されたらＳＴ１９３に移行し、失敗した（ＮＯ）と判定されたらＳＴ１９４に移行する。【００６３】  ＳＴ１９３では、図９に示したチャンネルリスト特定処理を行い、テレビ再生異常時選局処理を終了する。【００６４】  ＳＴ１９４では、現在カレントに設定されているチャンネルリストの次にスケジューリングされているチャンネルリストが現在時刻から所定時間内、例えば３０分以内に、切り替え時刻となるか否かを判定する。現在時刻から所定時間内に切り替え時刻となる（ＹＥＳ）と判定されたらＳＴ１９５に移行し、切り替え時刻とならない（ＮＯ）と判定されたらテレビ再生異常時選局処理を終了する。【００６５】  ＳＴ１９５では、現在カレントに設定されているチャンネルリストの次にスケジューリングされているチャンネルリストに切り替え、切り替えたチャンネルリストのラストチャンネルで周波数選局を行い、ＳＴ１９２に戻る。【００６６】  次に、図７に示したＳＴ１３７における自動スケジュール修正処理の詳細な手順について図１２を用いて説明する。図１２において、ＳＴ２０１では、スケジュール記憶部１０８に記憶されたスケジュール情報を参照することにより、現在カレントに設定されているチャンネルリストが現在時刻に対応するチャンネルリストであるか否かを判定する。現在時刻に対応するチャンネルリストである（ＹＥＳ）と判定されたらＳＴ２０５に移行し、現在時刻に対応するチャンネルリストではない（ＮＯ）と判定されたらＳＴ２０２に移行する。【００６７】  ＳＴ２０２では、現在カレントに設定されているチャンネルリストが、現在時刻に対応するチャンネルリストの次にスケジューリングされているチャンネルリストであるか否かを判定する。次にスケジューリングされているチャンネルリストである（ＹＥＳ）と判定されたらＳＴ２０３に移行し、次にスケジューリングされているチャンネルリストではない（ＮＯ）と判定されたらＳＴ２０４に移行する。【００６８】  ＳＴ２０３では、現在カレントに設定されているチャンネルリスト、すなわち、現在時刻に対応するチャンネルリストの次にスケジューリングされているチャンネルリストの切り替え時刻を現在時刻に変更し、自動スケジュール修正処理を終了する。ここでは、デジタル放送受信装置が切り替え時刻より早く次の放送エリアに移動したものとし、チャンネルリストの切り替え時刻を早める処理を行うことになる。【００６９】  ＳＴ２０４では、現在カレントに設定されているチャンネルリストをカレントに設定した時刻を切り替え時刻として、このチャンネルリストをスケジュール情報に追加し、自動スケジュール修正処理を終了する。【００７０】  ＳＴ２０５では、前回の自動スケジュール修正処理のＳＴ２０４において追加されたチャンネルリストが、テレビ再生中に用いられたか否かを判定する。すなわち、追加されたチャンネルリスト以外の他のチャンネルリストに切り替える予定があるか否かを判定する。ここでは、追加されたチャンネルリストがテレビ再生中に用いられていなければ、他のチャンネルリストに切り替える予定がある（ＹＥＳ）と判定され、ＳＴ２０６に移行し、追加されたチャンネルリストがテレビ再生中に用いられていれば、他のチャンネルリストに切り替える予定はない（ＮＯ）と判定され、ＳＴ２０７に移行する。【００７１】  ＳＴ２０６では、前回の自動スケジュール修正処理のＳＴ２０４において追加されたチャンネルリストが用いられていないので、このチャンネルリストを削除し、ＳＴ２０７に移行する。【００７２】  ＳＴ２０７では、現在時刻に対応するチャンネルリストの切り替え時刻を、このチャンネルリストが実際に切り替えられた時刻に変更し、自動スケジュール修正処理を終了する。【００７３】  このように、自動スケジュール修正処理を行うことにより、ユーザがスケジュール情報から外れる行動をとる場合でも、ユーザが入力操作又は入力指示を行うことなく、スケジュール情報を柔軟に修正することができる。【００７４】  このように本実施の形態によれば、複数の異なる放送エリアのチャンネルリストに時刻を対応付けておき、対応付けられた時刻になるとカレントのチャンネルリストとして設定されるため、ユーザが移動することによって放送エリアが切り替わる時刻をチャンネルリストに対応付けておくことによって、ユーザが放送エリアを越えて移動する場合でも、放送エリアを越える時刻で移動先の放送エリアのチャンネルリストに切り替わるので、移動先に応じたチャンネルリストで選局することができる。【００７５】  本発明の第１の態様は、複数の異なる放送エリアにそれぞれ対応する複数のチャンネルリストに時刻を対応付けて記憶する記憶手段と、現在時刻情報を取得する時刻情報取得手段と、前記時刻情報取得手段によって取得された現在時刻と前記記憶手段に記憶された時刻とが対応するチャンネルリストを現在使用可能なチャンネルリストとして用いるチャンネルリスト制御手段と、を具備するデジタル放送受信装置である。【００７６】  この構成によれば、デジタル放送受信装置が移動により放送エリアを越える予定時刻をチャンネルリストと対応付けて記憶しておけば、チャンネル制御手段が現在時刻と対応するチャンネルリストを現在使用可能なチャンネルリストとして用いることにより、移動先の放送エリアに対応したチャンネルリストを用いることができる。【００７７】  本発明の第２の態様は、上記態様において、現在使用可能なチャンネルリストとして用いられている第１のチャンネルリストに含まれるサービスチャンネルを選局する選局手段を具備し、前記チャンネルリスト制御手段は、現在使用可能なチャンネルリストとして前記第１のチャンネルリストから前記第１のチャンネルリストとは異なる第２のチャンネルリストに切り替える際、前記選局手段が選局しているサービスチャンネルが前記第２のチャンネルリストに含まれている場合、前記選局手段が選局しているサービスチャンネルの選局を維持させつつ、チャンネルリストを切り替えるデジタル放送受信装置である。【００７８】  この構成によれば、テレビ再生中又はテレビ録画中などの選局中のサービスチャンネルが第２のチャンネルリストに含まれていれば、選局を維持しつつ、チャンネルリストを切り替えることができる。【００７９】  本発明の第３の態様は、上記態様において、前記チャンネルリスト制御手段が、前記選局手段が選局しているサービスチャンネルが前記第１のチャンネルリストとは異なる第２のチャンネルリストに含まれていない場合、前記選局手段が選局しているサービスチャンネルの選局が中断されてからチャンネルリストを切り替えるデジタル放送受信装置である。【００８０】  この構成によれば、選局中のサービスチャンネルが第２のチャンネルリストに含まれていない場合、サービスチャンネルの選局が中断されてからチャンネルリストを切り替えることにより、記憶手段に記憶された時刻となってもテレビ再生又はテレビ録画を可能な限り継続させることができる。【００８１】  本発明の第４の態様は、上記態様において、前記チャンネルリスト制御手段が、前記第１のチャンネルリストに含まれるチャンネルの選局が前記選局手段において失敗した場合、または、前記選局手段が選局しているサービスチャンネルの選局が中断された場合、前記時刻情報取得手段によって取得された現在時刻に近い時刻が対応付けられた第２のチャンネルリストに含まれるチャンネルのうち、前記第１のチャンネルリストには含まれないチャンネル、または、前記第２のチャンネルリストが現在使用可能なチャンネルとして前回用いられた際に最後に選局されていたチャンネルで前記選局手段に選局させ、選局が成功することを条件に前記第２のチャンネルリストに切り替えるデジタル放送受信装置である。【００８２】  この構成によれば、第１のチャンネルリストを用いた選局の失敗、または、第１のチャンネルリストを用いた選局の中断が生じた場合、デジタル放送受信装置が記憶手段に記憶された時刻よりも早く放送エリアを越えてしまったことが考えられるので、現在時刻に近い時刻が対応付けられた第２のチャンネルリストを用いることにより、チャンネルリストの切り替えに要する時間を短縮することができる。また、第１のチャンネルリストには含まれないチャンネル、または、第２のチャンネルリストが現在使用可能なチャンネルとして前回用いられた際に最後に選局されていたチャンネルで選局することにより、選局に成功させる可能性を高めることができる。【００８３】  本発明の第５の態様は、上記態様において、前記チャンネルリスト制御手段が、前記選局手段による選局が成功した周波数チャンネルの組合せが、前記記憶手段に記憶されたチャンネルリストにおける周波数チャンネルのいずれの組合せとも異なる場合、現在地における放送エリアに対応する新規チャンネルリストを取得するデジタル放送受信装置である。【００８４】  本発明の第６の態様は、上記態様において、前記チャンネルリスト制御手段が、前記記憶手段に記憶された全てのチャンネルリストに含まれるチャンネルでの選局が前記選局手段において失敗した場合、前記選局手段に周波数チャンネルで選局が成功するまでチャンネルサーチを行わせ、現在地における放送エリアに対応する新規チャンネルリストを取得するデジタル放送受信装置である。【００８５】  これらの構成によれば、選局が成功した周波数チャンネルの組合せが、記憶手段に記憶されたチャンネルリストにおける周波数チャンネルのいずれの組合せとも異なる場合、記憶手段に記憶されたチャンネルリストに対応する放送エリア以外のエリアにデジタル放送受信装置が存在することが考えられるので、現在地における放送エリアに対応する新規チャンネルリストを取得することにより、いずれの放送エリアにおいてもその放送エリアに対応するチャンネルリストを用いることができる。【００８６】  本発明の第７の態様は、上記態様において、前記チャンネルリスト制御手段が、前記第１のチャンネルリストから前記第２のチャンネルリストへの切り替えが、前記記憶手段に記憶された前記第２のチャンネルリストに対応付けられた時間よりも遅い場合、前記第２のチャンネルリストに対応付けられた時刻をチャンネルリストの切り替え時における時刻に更新するデジタル放送受信装置である。【００８７】  この構成によれば、第２のチャンネルリストへの切り替えが、第２のチャンネルリストに対応付けられた時間よりも遅い場合、対応付けられた時刻をチャンネルリストの切り替え時における時刻に更新することにより、定期的に特定の放送エリアに移動する場合、次に第２のチャンネルリストを用いる際に、タイミングよく用いることができる。【００８８】  本発明の第８の態様は、上記態様において、前記チャンネルリスト制御手段が、前記第１のチャンネルリストから前記第２のチャンネルリストへの切り替えが、前記記憶手段に記憶された前記第２のチャンネルリストに対応付けられた時間よりも早い場合、前記第２のチャンネルリストに対応付けられた時刻をチャンネルリストの切り替え時における時刻に更新するデジタル放送受信装置である。【００８９】  この構成によれば、第２のチャンネルリストへの切り替えが、第２のチャンネルリストに対応付けられた時間よりも早い場合、対応付けられた時刻をチャンネルリストの切り替え時における時刻に更新することにより、定期的に特定の放送エリアに移動する場合、次に第２のチャンネルリストを用いる際に、タイミングよく用いることができる。【００９０】  本発明の第９の態様は、上記態様において、前記チャンネルリスト制御手段が、前記記憶手段に記憶された時刻の順とは異なるチャンネルリストに切り替える場合、切り替えられたチャンネルリストを切り替えた時刻に対応付けて前記記憶手段に新たに記憶させるデジタル放送受信装置である。【００９１】  この構成によれば、記憶手段に記憶された時刻の順とは異なるチャンネルリストに切り替える場合、デジタル放送受信装置の移動に伴って、定期的に越える特定の放送エリアが変更されたことが考えられるので、切り替えられたチャンネルリストを切り替えた時刻に対応付��て新たに記憶することにより、特定の放送エリアへの定期的な移動が変更された場合でも、その放送エリアに対応するチャンネルリストを用いることができる。【００９２】  本発明の第１０の態様は、上記態様において、前記チャンネルリスト制御手段が、前記記憶手段に新たに記憶された時刻が対応付けられたチャンネルリストに切り替えることなく、次のチャンネルリストに切り替える場合、切り替えられなかったチャンネルリストを前記記憶手段から削除するデジタル放送受信装置である。【００９３】  この構成によれば、記憶手段に新たに記憶された時刻が対応付けられたチャンネルリストに切り替えることなく、次のチャンネルリストに切り替える場合、切り替えられなかったチャンネルリストは次回も用いられないことが考えられるので、記憶手段から削除することにより、定期的に特定の放送エリアに移動する場合、移動先の放送エリアに対応したチャンネルリストをタイミングよく用いることができる。【００９４】  本発明の第１１の態様は、上記態様において、前記選局手段が、選局している前記第１のチャンネルリストに含まれるサービスチャンネルが前記第１のチャンネルリストとは異なる第２のチャンネルリストに含まれていない場合、選局しているサービスチャンネルを提供する放送局と同一の系列局のチャンネルで選局するデジタル放送受信装置である。【００９５】  この構成によれば、選局している第１のチャンネルリストに含まれるサービスチャンネルが第２のチャンネルリストに含まれていない場合でも、選局しているサービスチャンネルを提供する放送局と同一の系列局のチャンネルで選局することにより、移動先の放送エリアでも同一番組のテレビ再生又はテレビ録画を継続させる可能性を向上させることができる。【００９６】  本発明の第１２の態様は、上記態様において、前記選局手段が、選局している前記第１のチャンネルリストに含まれるサービスチャンネルが前記第１のチャンネルリストとは異なる第２のチャンネルリストに含まれていない場合、前記第２のチャンネルリストが現在使用可能なチャンネルとして前回用いられた際に最後に選局されていたチャンネルで選局するデジタル放送受信装置である。【００９７】  この構成によれば、選局している第１のチャンネルリストに含まれるサービスチャンネルが第２のチャンネルリストに含まれていない場合でも、第２のチャンネルリストが現在使用可能なチャンネルとして前回用いられた際に最後に選局されていたチャンネルで選局することができる。【００９８】  本発明の第１３の態様は、上記態様において、前記選局手段が、前記第１のチャンネルリストとは異なる第２のチャンネルリストに含まれる放送局の番組情報に基づいて、前記第１のチャンネルリストに含まれるチャンネルで選局していた番組と同一の番組を放送するチャンネルで選局するデジタル放送受信装置である。【００９９】  この構成によれば、第２のチャンネルリストに含まれる放送局の番組情報に基づいて、第１のチャンネルリストに含まれるチャンネルで選局していた番組と同一の番組を放送するチャンネルで選局することにより、移動先の放送エリアでも同一番組のテレビ再生又はテレビ録画を継続させる可能性を向上させることが���きる。【０１００】  本明細書は、２００４年１１月２９日出願の特願２００４−３４４７３２に基づくものである。この内容は全てここに含めておく。
【産業上の利用可能性】
【０１０１】  本発明にかかるデジタル放送受信装置は、装置規模及び消費電力を増大させることなく、チャンネルリストを切り替えるという効果を有し、携帯電話等の携帯端末に適用することができる。
【図１】
2006057386.tif 000002
【図２】
2006057386.tif 000003
【図３】
2006057386.tif 000004
【図４】
2006057386.tif 000005
【図５】
2006057386.tif 000006
【図６】
2006057386.tif 000007
【図７】
2006057386.tif 000008
【図８】
2006057386.tif 000009
【図９】
2006057386.tif 000010
【図１０】
2006057386.tif 000011
【図１１】
2006057386.tif 000012
【図１２】
2006057386.tif 000013
【手続補正書】
【提出日】平成18年5月1日(2006.5.1)
【手続補正１】
【補正対象書類名】特許請求の範囲
【補正対象項目名】請求の範囲
【補正方法】変更
【補正の内容】
【書類名】請求の範囲
【請求項１】複数の異なる放送エリアにそれぞれ対応する複数のチャンネルリストに時刻を対応付けて記憶する記憶手段と、
現在時刻情報を取得する時刻情報取得手段と、
前記時刻情報取得手段によって取得された現在時刻と前記記憶手段に記憶された時刻とが対応するチャンネルリストを現在使用可能なチャンネルリストとして用いるチャンネルリスト制御手段と、
を具備するデジタル放送受信装置。
【請求項２】現在使用可能なチャンネルリストとして用いられている第１のチャンネルリストに含まれるサービスチャンネルを選局する選局手段を具備し、
前記チャンネルリスト制御手段は、現在使用可能なチャンネルリストとして前記第１のチャンネルリストから前記第１のチャンネルリストとは異なる第２のチャンネルリストに切り替える際、前記選局手段が選局しているサービスチャンネルが前記第２のチャンネルリストに含まれている場合、前記選局手段が選局しているサービスチャンネルの選局を維持させつつ、チャンネルリストを切り替える
請求項１に記載のデジタル放送受信装置。
【請求項３】（補正後）現在使用可能なチャンネルリストとして用いられている第１のチャンネルリストに含まれるサービスチャンネルを選局する選局手段を具備し、
前記チャンネルリスト制御手段は、前記選局手段が選局しているサービスチャンネルが前記第１のチャンネルリストとは異なる第２のチャンネルリストに含まれていない場合、前記選局手段が選局しているサービスチャンネルの選局が中断されてからチャンネルリストを切り替える請求項１に記載のデジタル放送受信装置。
【請求項４】（補正後）現在使用可能なチャンネルリストとして用いられている第１のチャンネルリストに含まれるサービスチャンネルを選局する選局手段を具備し、
前記チャンネルリスト制御手段は、前記第１のチャンネルリストに含まれるチャンネルの選局が前記選局手段において失敗した場合、または、前記選局手段が選局しているサービスチャンネルの選局が中断された場合、前記時刻情報取得手段によって取得された現在時刻に近い時刻が対応付けられた第２のチャンネルリストに含まれるチャンネルのうち、前記第１のチャンネルリストには含まれないチャンネル、または、前記第２のチャンネルリストが現在使用可能なチャンネルとして前回用いられた際に最後に選局されていたチャンネルで前記選局手段に選局させ、選局が成功することを条件に前記第２のチャンネルリストに切り替える請求項１に記載のデジタル放送受信装置。
【請求項５】（補正後）現在使用可能なチャンネルリストとして用いられている第１のチャンネルリストに含まれるサービスチャンネルを選局する選局手段を具備し、
前記チャンネルリスト制御手段は、前記選局手段による選局が成功した周波数チャンネルの組合せが、前記記憶手段に記憶されたチャンネルリストにおける周波数チャンネルのいずれの組合せとも異なる場合、現在地における放送エリアに対応する新規チャンネルリストを取得する請求項１に記載のデジタル放送受信装置。
【請求項６】（補正後）現在使用可能なチャンネルリストとして用いられている第１のチャンネルリストに含まれるサービスチャンネルを選局する選局手段を具備し、
前記チャンネルリスト制御手段は、前記記憶手段に記憶された全てのチャンネルリストに含まれるチャンネルでの選局が前記選局手段において失敗した場合、前記選局手段に周波数チャンネルで選局が成功するまでチャンネルサーチを行わせ、現在地における放送エリアに対応する新規チャンネルリストを取得する請求項１に記載のデジタル放送受信装置。
【請求項７】前記チャンネルリスト制御手段は、前記第１のチャンネルリストから前記第２のチャンネルリストへの切り替えが、前記記憶手段に記憶された前記第２のチャンネルリストに対応付けられた時間よりも遅い場合、前記第２のチャンネルリストに対応付けられた時刻をチャンネルリストの切り替え時における時刻に更新する請求項３に記載のデジタル放送受信装置。
【請求項８】前記チャンネルリスト制御手段は、前記第１のチャンネルリストから前記第２のチャンネルリストへの切り替えが、前記記憶手段に記憶された前記第２のチャンネルリストに対応付けられた時間よりも早い場合、前記第２のチャンネルリストに対応付けられた時刻をチャンネルリストの切り替え時における時刻に更新する請求項４に記載のデジタル放送受信装置。
【請求項９】前記チャンネルリスト制御手段は、前記記憶手段に記憶された時刻の順とは異なるチャンネルリストに切り替える場合、切り替えられたチャンネルリストを切り替えた時刻に対応付けて前記記憶手段に新たに記憶させる請求項１に記載のデジタル放送受信装置。
【請求項１０】前記チャンネルリスト制御手段は、前記記憶手段に新たに記憶された時刻が対応付けられたチャンネルリストに切り替えることなく、次のチャンネルリストに切り替える場合、切り替えられなかったチャンネルリストを前記記憶手段から削除する請求項９に記載のデジタル放送受信装置。
【請求項１１】（補正後）現在使用可能なチャンネルリストとして用いられている第１のチャンネルリストに含まれるサービスチャンネルを選局する選局手段を具備し、
前記選局手段は、選局している前記第１のチャンネルリストに含まれるサービスチャンネルが前記第１のチャンネルリストとは異なる第２のチャンネルリストに含まれていない場合、選局しているサービスチャンネルを提供する放送局と同一の系列局のチャンネルで選局する請求項１に記載のデジタル放送受信装置。
【請求項１２】（補正後）現在使用可能なチャンネルリストとして用いられている第１のチャンネルリストに含まれるサービスチャンネルを選局する選局手段を具備し、
前記選局手段は、選局している前記第１のチャンネルリストに含まれるサービスチャンネルが前記第１のチャンネルリストとは異なる第２のチャンネルリストに含まれていない場合、前記第２のチャンネルリストが現在使用可能なチャンネルとして前回用いられた際に最後に選局されていたチャンネルで選局する請求項１に記載のデジタル放送受信装置。
【請求項１３】（補正後）現在使用可能なチャンネルリストとして用いられている第１のチャンネルリストに含まれるサービスチャンネルを選局する選局手段を具備し、
前記選局手段は、前記第１のチャンネルリストとは異なる第２のチャンネルリストに含まれる放送局の番組情報に基づいて、前記第１のチャンネルリストに含まれるチャンネルで選局していた番組と同一の番組放送するチャンネルで選局する請求項１に記載のデジタル放送受信装置。
【請求項１４】（追加）前記複数のチャンネルリストごとに、現在使用可能なチャンネルとして前回用いられた際に最後に選局されていたラストチャンネルを記憶するラストチャンネル記憶手段と、
前記ラストチャンネルの示す周波数チャンネルで選局する周波数チャンネル選局手段と、
を具備する請求項１に記載のデジタル放送受信装置。
２６
【手続補正書】
【提出日】平成19年1月12日(2007.1.12)
【手続補正１】
【補正対象書類名】特許請求の範囲
【補正対象項目名】全文
【補正方法】変更
【補正の内容】
【特許請求の範囲】
【請求項１】
複数の異なる放送エリアにそれぞれ対応する複数のチャンネルリストに時刻を対応付けて記憶する記憶手段と、
現在時刻情報を取得する時刻情報取得手段と、
前記時刻情報取得手段によって取得された現在時刻と前記記憶手段に記憶された時刻とが対応するチャンネルリストを現在使用可能なチャンネルリストとして用いるチャンネルリスト制御手段と、
を具備するデジタル放送受信装置。
【請求項２】
現在使用可能なチャンネルリストとして用いられている第１のチャンネルリストに含まれるサービスチャンネルを選局する選局手段を具備し、
前記チャンネルリスト制御手段は、現在使用可能なチャンネルリストとして前記第１のチャンネルリストから前記第１のチャンネルリストとは異なる第２のチャンネルリストに切り替える際、前記選局手段が選局しているサービスチャンネルが前記第２のチャンネルリストに含まれている場合、前記選局手段が選局しているサービスチャンネルの選局を維持させつつ、チャンネルリストを切り替える
請求項１に記載のデジタル放送受信装置。
【請求項３】
現在使用可能なチャンネルリストとして用いられている第１のチャンネルリストに含まれるサービスチャンネルを選局する選局手段を具備し、
前記チャンネルリスト制御手段は、前記選局手段が選局しているサービスチャンネルが前記第１のチャンネルリストとは異なる第２のチャンネルリストに含まれていない場合、前記選局手段が選局しているサービスチャンネルの選局が中断されてからチャンネルリストを切り替える請求項１に記載のデジタル放送受信装置。
【請求項４】
現在使用可能なチャンネルリストとして用いられている第１のチャンネルリストに含まれるサービスチャンネルを選局する選局手段を具備し、
前記チャンネルリスト制御手段は、前記第１のチャンネルリストに含まれるチャンネルの選局が前記選局手段において失敗した場合、または、前記選局手段が選局しているサービスチャンネルの選局が中断された場合、前記時刻情報取得手段によって取得された現在時刻に近い時刻が対応付けられた第２のチャンネルリストに含まれるチャンネルのうち、前記第１のチャンネルリストには含まれないチャンネル、または、前記第２のチャンネルリストが現在使用可能なチャンネルとして前回用いられた際に最後に選局されていたチャンネルで前記選局手段に選局させ、選局が成功することを条件に前記第２のチャンネルリストに切り替える請求項１に記載のデジタル放送受信装置。
【請求項５】
現在使用可能なチャンネルリストとして用いられている第１のチャンネルリストに含まれるサービスチャンネルを選局する選局手段を具備し、
前記チャンネルリスト制御手段は、前記選局手段による選局が成功した周波数チャンネルの組合せが、前記記憶手段に記憶されたチャンネルリストにおける周波数チャンネルのいずれの組合せとも異なる場合、現在地における放送エリアに対応する新規チャンネルリストを取得する請求項１に記載のデジタル放送受信装置。
【請求項６】
現在使用可能なチャンネルリストとして用いられている第１のチャンネルリストに含まれるサービスチャンネルを選局する選局手段を具備し、
前記チャンネルリスト制御手段は、前記記憶手段に記憶された全てのチャンネルリストに含まれるチャンネルでの選局が前記選局手段において失敗した場合、前記選局手段に周波数チャンネルで選局が成功するまでチャンネルサーチを行わせ、現在地における放送エリアに対応する新規チャンネルリストを取得する請求項１に記載のデジタル放送受信装置。
【請求項７】
前記チャンネルリスト制御手段は、前記第１のチャンネルリストから前記第２のチャンネルリストへの切り替えが、前記記憶手段に記憶された前記第２のチャンネルリストに対応付けられた時間よりも遅い場合、前記第２のチャンネルリストに対応付けられた時刻をチャンネルリストの切り替え時における時刻に更新する請求項３に記載のデジタル放送受信装置。
【請求項８】
前記チャンネルリスト制御手段は、前記第１のチャンネルリストから前記第２のチャンネルリストへの切り替えが、前記記憶手段に記憶された前記第２のチャンネルリストに対応付けられた時間よりも早い場合、前記第２のチャンネルリストに対応付けられた時刻をチャンネルリストの切り替え時における時刻に更新する請求項４に記載のデジタル放送受信装置。
【請求項９】
前記チャンネルリスト制御手段は、前記記憶手段に記憶された時刻の順とは異なるチャンネルリストに切り替える場合、切り替えられたチャンネルリストを切り替えた時刻に対応付けて前記記憶手段に新たに記憶させる請求項１に記載のデジタル放送受信装置。
【請求項１０】
前記チャンネルリスト制御手段は、前記記憶手段に新たに記憶された時刻が対応付けられたチャンネルリストに切り替えることなく、次のチャンネルリストに切り替える場合、切り替えられなかったチャンネルリストを前記記憶手段から削除する請求項９に記載のデジタル放送受信装置。
【請求項１１】
現在使用可能なチャンネルリストとして用いられている第１のチャンネルリストに含まれるサービスチャンネルを選局する選局手段を具備し、
前記選局手段は、選局している前記第１のチャンネルリストに含まれるサービスチャンネルが前記第１のチャンネルリストとは異なる第２のチャンネルリストに含まれていない場合、選局しているサービスチャンネルを提供する放送局と同一の系列局のチャンネルで選局する請求項１に記載のデジタル放送受信装置。
【請求項１２】
現在使用可能なチャンネルリストとして用いられている第１のチャンネルリストに含まれるサービスチャンネルを選局する選局手段を具備し、
前記選局手段は、選局している前記第１のチャンネルリストに含まれるサービスチャンネルが前記第１のチャンネルリストとは異なる第２のチャンネルリストに含まれていない場合、前記第２のチャンネルリストが現在使用可能なチャンネルとして前回用いられた際に最後に選局されていたチャンネルで選局する請求項１に記載のデジタル放送受信装置。
【請求項１３】
現在使用可能なチャンネルリストとして用いられている第１のチャンネルリストに含まれるサービスチャンネルを選局する選局手段を具備し、
前記選局手段は、前記第１のチャンネルリストとは異なる第２のチャンネルリストに含まれる放送局の番組情報に基づいて、前記第１のチャンネルリストに含まれるチャンネルで選局していた番組と同一の番組を放送するチャンネルで選局する請求項１に記載のデジタル放送受信装置。
【請求項１４】
前記複数のチャンネルリストごとに、現在使用可能なチャンネルとして前回用いられた際に最後に選局されていたラストチャンネルを記憶するラストチャンネル記憶手段と、
前記ラストチャンネルの示す周波数チャンネルで選局する周波数チャンネル選局手段と、
を具備する請求項１に記載のデジタル放送受信装置。
【手続補正２】
【補正対象書類名】明細書
【補正対象項目名】全文
【補正方法】変更
【補正の内容】
【発明の詳細な説明】
【技術分野】
【０００１】
本発明は、デジタル放送受信装置に関し、特に、チャンネルリストの切り替えを行うデジタル放送受信装置に関する。
【背景技術】
【０００２】
近年、テレビの視聴及び録画が可能な携帯電話等の小型携帯端末が普及しつつあり、ユーザは移動中又は移動先でもテレビの電波を受信できれば場所に制約されることなくテレビを視聴及び録画することができる。
【０００３】
このような小型携帯端末に対して、地上波デジタル放送では、１つのチャンネルの帯域（６ＭＨｚ）を１３分割したうちの１つ（１セグメント）を割り当て、データ放送サービスが行われる予定である。このデータ放送サービスを部分受信放送という。なお、１セグメントで送信される情報量は非常に少なく、番組情報などは最大でも１０番組先の情報までしか含めることができない。ちなみに、番組情報としてはＰＳＩ（Program Specific Information）やＳＩ（Service Information）が知られており、ＰＳＩは所望の番組を選択するために必要な情報である。また、ＳＩは番組選択の利便性のために規定された各種情報であり、番組名や放送局名などのＥＰＧ（Electronic Program Guide）に関連する情報である。さらに、全国の放送局に割り当てられた放送局識別子、及び、放送局が所属するキー局を示した系列局情報などもＳＩに含まれる。
【０００４】
また、地上波デジタル放送では、放送局が映像、音声、その他の番組情報といった複数のデータを１本のストリームに多重化する際、ＭＰＥＧのプロトコルであるＭＰＥＧ−２  ＴＳ（Transport Stream）が用いられ、多重化されたストリームが受信側で分離され、多重化前のデータが取得される。以下、本明細書において、単にＴＳと記載した場合は、放送局が送出する部分受信放送のデータ全てを意味するものとする。
【０００５】
このようにデジタル放送は複数のデータを多重化することができるため、アナログ放送とは異なり、１つの周波数帯域でも複数のチャンネルを運用することができる。ここで、混乱及び誤用を避けるため、本明細書におけるチャンネルの概念について定義する。チャンネルには、物理的なチャンネルと論理的なチャンネルがあり、物理チャンネルはアナログ放送でも用いられており、物理的な周波数の割り当てチャンネル（以下、「周波数チャンネル」という）である。周波数チャンネルは、地上波デジタル放送において、１３ｃｈから６２ｃｈまでが割り当てられている。次に、論理チャンネルは、周波数チャンネル内の複数の番組編成（以下、「サービス」という）を識別する論理的なチャンネルであり、サービスチャンネルという。このような周波数チャンネルとサービスチャンネルを総称してチャンネルという。
【０００６】
ちなみに、上述した周波数チャンネルをリモコンなどのワンタッチボタンの番号に割り付けて簡易表記することがあり、この番号をリモコン番号という。受信中の放送局のリモコン番号はＰＳＩ情報により得ることができる。リモコン番号による選局が行われた場合、１つの周波数チャンネルに含まれる複数のサービスチャンネルのうち、プライマリサービスと呼ばれる主サービスが選局される。さらに、このリモコン番号とサービスチャンネルの値から計算され、ユーザが周波数チャンネル内のサービスを直接指定する番号を３桁番号という。ユーザの設定によりリモコン番号を変更することも可能であり、この場合、変更したリモコン番号をリモコンキー番号といい、リモコンキー番号による選局手順はリモコン番号による選局手順と同一である。参考までに図１にチャンネルの定義を概念的に示す。図１では、３つのサービスとＰＳＩ情報やＳＩ情報といった番組情報とでＴＳを構成しており、サービスＩＤ：Ｄ９Ａ０（プライマリサービス）が一般的な放送、サービスＩＤ：Ｄ９Ａ１が英語放送、サービスＩＤ：Ｄ９Ａ２がデータ放送を行い、番組Ａ〜Ｆを放送する様子を示している。そして、周波数チャンネルを２１ｃｈ、リモコン番号を８、３桁番号を６８１、６８２、６８３、サービスＩＤをＤ９Ａ０、Ｄ９Ａ１、Ｄ９Ａ２として例示している。
【０００７】
ところで、このようなテレビ視聴が可能な携帯端末は、端末が放送エリアを越えて移動した場合、移動先の放送エリアに対応するチャンネルリストを有していないとテレビを視聴することができない。
【０００８】
そこで、特許文献１に開示された発明がなされている。図２は、特許文献１に記載されたデジタル放送受信装置の構成を示すブロック図である。この図において、地上デジタルテレビ放送を受信する第１受信装置３０を用いて視聴を継続しつつ、地上デジタルラジオ放送を受信する第２受信装置３１を用いてチャンネルサーチを行うことにより、現時点におけるチャンネルリストを作成し、放送エリアが変更した場合には、作成したチャンネルリストに変更してテレビを視聴することができる。
【特許文献１】特開２００４−６４５９０号公報
【発明の開示】
【発明が解決しようとする課題】
【０００９】
しかしながら、上述した特許文献１に記載のデジタル放送受信装置では、２台の受信装置を備えることから、装置規模及び消費電力が増大してしまう。
【００１０】
本発明はかかる点に鑑みてなされたものであり、装置規模及び消費電力を増大させることなく、チャンネルリストを切り替えるデジタル放送受信装置を提供することを目的とする。
【課題を解決するための手段】
【００１１】
本発明のデジタル放送受信装置は、複数の異なる放送エリアにそれぞれ対応する複数のチャンネルリストに時刻を対応付けて記憶する記憶手段と、現在時刻情報を取得する時刻情報取得手段と、前記時刻情報取得手段によって取得された現在時刻と前記記憶手段に記憶された時刻とが対応するチャンネルリストを現在使用可能なチャンネルリストとして用いるチャンネルリスト制御手段と、を具備する構成を採る。
【００１２】
この構成によれば、デジタル放送受信装置が移動により放送エリアを越える予定時刻をチャンネルリストと対応付けて記憶しておけば、チャンネル制御手段が現在時刻と対応するチャンネルリストを現在使用可能なチャンネルリストとして用いることにより、移動先の放送エリアに対応したチャンネルリストを用いることができる。
【発明の効果】
【００１３】
本発明によれば、複数の異なる放送エリアにそれぞれ対応する複数のチャンネルリストに時刻を対応付け、現在時刻と対応するチャンネルリストを現在使用可能なチャンネルリストとして用いることにより、装置規模及び消費電力を増大させることなく、チャンネルリストを切り替えるデジタル放送受信装置を提供することができる。
【発明を実施するための最良の形態】
【００１４】
以下、本発明の実施の形態について、図面を参照して詳細に説明する。
【００１５】
（実施の形態１）
本発明の実施の形態１に係るデジタル放送受信装置１００は、図３に示すように、チューナ部１０２は、アンテナ１０１を介して受信した放送波からユーザによって指定されたチャンネルの周波数信号を抽出し、抽出した周波数信号の符号復調処理を行う。復調処理された信号は多重化分離部１０３及び制御部１０６に出力される。
【００１６】
多重化分離部１０３は、チューナ部１０２から出力された信号を映像情報、音声情報、番組情報などに分離し、映像情報を映像処理部１０９に、音声情報を音声処理部１１１に、番組情報などを制御部１０６に出力する。
【００１７】
入力部１０４は、ボタンキー等であり、これによってユーザはチャンネルや番組情報などの予約情報を制御部１０６に入力する。時刻情報取得部１０５は、現在時刻を計測し、計測した現在時刻を制御部１０６に通知する。
【００１８】
制御部１０６は、デジタル放送受信装置１００内の各部を制御することにより、テレビ再生、選局などを行う。
【００１９】
チャンネルリスト記憶部１０７は、受信可能な放送波を検出し、リモコン番号と対応付けるチャンネルサーチにより、サーチした時点で受信可能な放送局の情報を受信チャンネルリストとして記録する不揮発メモリである。また、チャンネルリスト記憶部１０７は、図４に示すように、異なる放送エリア毎に複数のチャンネルリストを備え、各チャンネルリストには、リモコン番号、３桁番号、周波数チャンネル、リモコンキー番号、放送局識別子、サービスＩＤ、受信レベル、系列局情報などが含まれる。ちなみに、図４Ａは自宅を含む放送エリアに対応するチャンネルリストであり、図４Ｂは通勤途中を含む放送エリアに対応するチャンネルリストであり、図４Ｃは会社を含む放送エリアに対応するチャンネルリストである。また、図４に示す受信レベルは、受信電界強度、搬送波電力対雑音電力比、ビット誤り率などの受信感度パラメータを使用して計算される受信感度を示す値である。ここでは、受信レベルを０から１００までの値で示す場合を例示している。このように各チャンネルリストには自宅、通勤、会社などといったチャンネルリスト識別情報が付されている。また、それぞれのチャンネルリストが現在使用可能なチャンネルリストとしてカレントに設定されていた際に、最後に選局されたチャンネル（以下、「ラストチャンネル」という）がチャンネルリスト毎に記憶されている。
【００２０】
スケジュール記憶部１０８は、チャンネルリスト記憶部１０７に記憶されたチャンネルリストをカレントに設定する時刻（切り替え時刻）がスケジュールされた情報を記憶する不揮発メモリである。また、スケジュール記憶部１０８は、図５に示すように、切り替え時刻とチャンネルリスト識別情報とが対応付けられている。図５Ａは平日用のスケジュール情報を示しており、図５Ｂは休日用のスケジュール情報を示している。このように、ユーザの定期的、周期的な移動スケジュールに対応してチャンネルリストが記憶されている。なお、チャンネルリスト記憶部１０７及びスケジュール記憶部１０８は記憶手段として機能する。
【００２１】
映像処理部１０９は、多重化分離部１０３から出力され、Ｈ．２６４などの映像圧縮方式により符号化された映像ストリームを復号し、復号した信号を表示部１１０に出力し、表示部１１０は、映像処理部１０９から出力された画像を表示する。
【００２２】
音声処理部１１１は、多重化分離部１０３から出力され、ＡＡＣ（Advanced Audio Coding）などの音声圧縮方式により符号化された音声ストリームを復号し、復号した信号を音声出力部１１２に出力し、音声出力部１１２は、音声処理部１１１から出力された音声を出力する。
【００２３】
次に、上述した制御部１０６の内部構成について図６を用いて説明する。この図において、全体制御部１２１は、入力部１０４からリモコン番号又は３桁番号が入力されると、時刻情報取得部１０５から現在時刻を取得し、スケジュール制御部１２５及びチャンネルリスト制御部１２６を制御することにより、現在時刻に応じたチャンネルリストをカレントに設定し、周波数チャンネル選局部１２２、放送解析部１２３及びサービスチャンネル選局部１２４を制御することにより、選局を開始する。また、あるチャンネルで選局中にチャンネルリストの切り替え時刻になると、後述するスケジュール制御部１２５から切り替え通知を受け、チャンネルリストを実際に切り替えるか判断する。さらに、エリアが圏外になるなどの異常が生じた場合もチャンネルリストを切り替える制御を行って、選局を開始する。
【００２４】
周波数チャンネル選局部１２２は、全体制御部１２１からの指示を受け、チューナ部１０２に周波数チャンネルを設定し、設定した周波数チャンネルに受信可能な放送波（ＴＳ）がある場合は、周波数チャンネル選局の成功とし、チューナ部１０２から多重化分離部１０３へＴＳのまま出力させる。受信可能な放送波（ＴＳ）がない場合は、周波数チャンネル選局の失敗とし、全体制御部１２１にその旨通知する。
【００２５】
放送解析部１２３は、全体制御部１２１の指示を受け、多重化分離部１０３の設定と、多重化分離部１０３によって分離されたデータの解析を行う。この解析により得られる放送局情報、ＴＳのサービス構成などを全体制御部１２１に通知する。また、チューナ部１０２の状態を監視し、デジタル放送受信装置が圏外に移動した場合も、その旨全体制御部１２１に通知する。
【００２６】
サービスチャンネル選局部１２４は、全体制御部１２１の指示を受け、ＴＳ内の指定サービスの映像、音声などのストリームを抽出するように多重化分離部１０３を設定すると共に、抽出されたストリームを映像処理部１０９及び音声処理部１１１に出力するように設定する。
【００２７】
スケジュール制御部１２５は、全体制御部１２１の指示を受け、スケジュール記憶部１０８のスケジュール情報を管理する。また、時刻情報取得部１０５から現在時刻を取得し、チャンネルリストの切り替え時刻になったか否かを確認し、切り替え時刻に該当するチャンネルリストがあると、その旨、全体制御部１２１に通知する。
【００２８】
チャンネルリスト制御部１２６は、チャンネルリスト記憶部１０７に対する読み出し制御及び書き込み制御を行う。例えば、チャンネルリスト記憶部１０７に記憶された複数のチャンネルリストのうちカレントに設定するチャンネルリストを切り替え、チャンネルリストの更新、ラストチャンネルの管理を行う。
【００２９】
次に、上記構成を有するデジタル放送受信装置１００の起動から終了までの一連の動作について図７を用いて説明する。図７において、ステップ（以下、「ＳＴ」と省略する）１３１では、スケジュール制御部１２５が時刻情報取得部１０５から現在時刻を取得し、現在時刻に対応するチャンネルリスト識別情報をスケジュール記憶部１０８から読み出し、読み出したチャンネル識別情報を全体制御部１２１を介してチャンネルリスト制御部１２６に通知する。チャンネルリスト制御部１２６は、通知されたチャンネルリスト識別情報に従って、チャンネルリスト記憶部１０７からチャンネルリストを読み出し、読み出したチャンネルリストを全体制御部１２１に出力する。全体制御部１２１は、チャンネルリスト制御部１２６から出力されたチャンネルリストをカレントに設定する。
【００３０】
ＳＴ１３２では、全体制御部１２１がカレントに設定したチャンネルリストからラストチャンネルを取得し、ＳＴ１３３では、ラストチャンネルの示す周波数チャンネルで周波数チャンネル選局部１２２が選局を行い、また、ラストチャンネルの示すサービスチャンネルでサービスチャンネル選局部１２４が選局を行う。選局処理の詳細については後述する。
【００３１】
ＳＴ１３４では、ＳＴ１３３において選局されたチャンネルでテレビ再生中にチャンネルリスト切り替え時刻になり、チャンネルリストの切り替えを行う。テレビ再生中のチャンネルリスト切り替え処理の詳細については後述する。
【００３２】
ＳＴ１３５では、全体制御部１２１がチャンネルリスト切り替え要求の有無を確認し、切り替え要求があれば（ＹＥＳ）ＳＴ１３６に移行し、切り替え要求がなければ（ＮＯ）ＳＴ１３８に移行する。チャンネルリスト切り替え要求は、例えば、ユーザが入力部１０４から行うことが考えられる。
【００３３】
ＳＴ１３６では、全体制御部１２１がチャンネルリスト切り替え要求で指示されたチャンネルリストをカレントに設定することによりチャンネルリストを切り替え、ＳＴ１３７では、全体制御部１２１が切り替えたチャンネルリストの識別情報とチャンネルリストを切り替えた時刻とをスケジュール制御部１２５に通知し、スケジュール制御部１２５が通知されたチャンネルリスト識別情報と切り替え時刻とをスケジュール記憶部１０８に記憶させ、ＳＴ１３３に戻る。ＳＴ１３７における処理を自動スケジュール修正処理と称し、自動スケジュール修正処理の詳細については後述する。
【００３４】
ＳＴ１３８では、ユーザなどによるデジタル放送受信装置１００の終了要求があるか否かを判定し、終了要求がある（ＹＥＳ）と判定されたらＳＴ１３９に移行し、終了要求がない（ＮＯ）と判定されたらＳＴ１４０に移行する。
【００３５】
ＳＴ１３９では、ＳＴ１３８における終了要求を受けて、ＳＴ１３７と同様に自動スケジュール修正処理を行うことにより、対象となるスケジュール情報を削除する。デジタル放送受信装置１００を終了する際に、対象となるスケジュール情報を削除しないと、削除するべきスケジュール情報が記憶されたままになるため、これを回避することができる。
【００３６】
ＳＴ１４０では、ユーザなどによる選局要求があるか否かを判定し、選局要求がある（ＹＥＳ）と判定されたらＳＴ１３３に戻り、選局要求がない（ＮＯ）と判定されたらＳＴ１３４に戻る。
【００３７】
次に、図７のＳＴ１３３における選局処理の詳細な手順について図８を用いて説明する。図８において、ＳＴ１５１では、周波数チャンネル選局部１２２が全体制御部１２１から指定された周波数チャンネルでチューナ部１０２を設定し、放送波（ＴＳ）の受信を試みる。
【００３８】
ＳＴ１５２では、ＳＴ１５１における周波数チャンネル選局が成功したか否かが全体制御部１２１において判定され、成功した（ＹＥＳ）と判定されたらＳＴ１５３に移行し、失敗した（ＮＯ）と判定されたらＳＴ１５６に移行する。
【００３９】
ＳＴ１５３では、ＳＴ１５１における周波数チャンネル選局により得られた放送波（ＴＳ）を解析し、解析結果が示す放送局とチャンネルがカレントに設定されているチャンネルリストと一致するか確認する。一致しない場合は、一致するチャンネルリストに切り替える、または、チャンネルリスト記憶部１０７に記憶されていない新規のチャンネルリストを作成し、作成した新規のチャンネルリストに切り替え、ＳＴ１５４に移行する。ＳＴ１５３における処理をチャンネルリスト特定処理と称し、チャンネルリスト特定処理の詳細については後述する。
【００４０】
ＳＴ１５４では、ＳＴ１５３におけるチャンネルリスト特定処理によりカレントに設定されたチャンネルリストが現在時刻に対応するチャンネルリストと一致するか否かが全体制御部１２１において判定される。一致する（ＹＥＳ）と判定されたらＳＴ１５８に移行し、一致しない（ＮＯ）と判定されたらＳＴ１５５に移行する。
【００４１】
ＳＴ１５５では、図７に示したＳＴ１３７における自動スケジュール修正処理が行われ、ＳＴ１５８に移行する。
【００４２】
ＳＴ１５６では、チャンネルリスト記憶部１０７に記憶されている全てのチャンネルリストについて周波数チャンネル選局を行ったか否かが全体制御部１２１において判定され、行っている（ＹＥＳ）と判定されたらＳＴ１５７に移行し、行っていない（ＮＯ）と判定されたらＳＴ１５９に移行する。
【００４３】
ＳＴ１５７では、全体制御部１２１が選局処理開始時のチャンネルリストをカレントに設定、すなわち、チャンネルリストを元に戻し、ＳＴ１５８では、選局結果を表示部１１０に表示する。チャンネルリストが切り替えられた場合はその旨表示する。
【００４４】
ＳＴ１５９では、スケジュール制御部１２５がスケジュール記憶部１０８に記憶されたスケジュール情報を現在時刻に近い順にソートしているか否かが判定され、ソートされている（ＹＥＳ）と判定されたらＳＴ１６１に移行し、ソートされていない（ＮＯ）と判定されたらＳＴ１６０に移行する。
【００４５】
ＳＴ１６０では、スケジュール制御部１２５がスケジュール記憶部１０８に記憶されたスケジュール情報を現在時刻に近い順にソートする。
【００４６】
ＳＴ１６１では、ＳＴ１６０においてソートされた順、すなわち、現在時刻に近い順にチャンネルリストを切り替え、ＳＴ１５１に戻る。
【００４７】
次に、図８のＳＴ１５３におけるチャンネルリスト特定処理の詳細な手順について図９を用いて説明する。図９において、ＳＴ１７１では、図８のＳＴ１５２における周波数チャンネル選局の成功を受けて、この周波数チャンネルの放送波（ＴＳ）に含まれるＰＳＩ／ＳＩセクションが放送解析部１２３において解析される。具体的には、ＴＳのサービス構成が記載されたＮＩＴ（Network Information Table）のサービスリストの記述子やＴＳ内の部分受信サービスＩＤ（サービスチャンネル）が記載されたＮＩＴの部分受信記述子、１サービスの構成が記載されたＰＭＴ（Program Map Table）などが解析される。これにより、入力部１０４から入力された３桁番号に対応するサービスがＴＳに含まれるか否かが判定される。サービスチャンネルが含まれる（ＹＥＳ）と判定されたらＳＴ１７２に移行し、含まれない（ＮＯ）と判定されたらＳＴ１７３に移行する。
【００４８】
ＳＴ１７２では、入力部１０４から入力された３桁番号に対応するサービスチャンネルを選局し、ＴＳ内の指定されたサービスで提供される映像を映像処理部１０９に、また、音声を音声処理部１１１に出力するようにサービスチャンネル選局部１２４が多重化分離部１０３を設定し、ＳＴ１７５に移行する。
【００４９】
ＳＴ１７３では、チャンネルリスト記憶部１０７に記憶されたチャンネルリストにおいて、選局した周波数チャンネルに対応する放送局情報と、選局したチャンネルの放送波に含まれるセクションデータの放送局情報（以下、単に「受信放送局情報」という）とが一致するか否かが全体制御部１２１において判定される。具体的にはＢＩＴ（Broadcaster Information Table）に含まれる放送局識別情報や、各ＰＳＩ／ＳＩに含まれるネットワーク識別情報や、ＴＳ識別情報などを解析する。一致する（ＹＥＳ）と判定されたらＳＴ１７４に移行し、一致しない（ＮＯ）と判定されたらＳＴ１７６に移行する。
【００５０】
ＳＴ１７４では、サービスチャンネル選局部１２４がプライマリサービスチャンネルを選局し、ＴＳ内のプライマリサービスで提供される映像を映像処理部１０９に、また、音声を音声処理部１１１に出力するようにサービスチャンネル選局部１２４が多重化分離部１０３を設定し、ＳＴ１７５に移行する。
【００５１】
ＳＴ１７５では、選局されたサービスチャンネルを含むチャンネルリストがカレントに設定されていなければ、チャンネルリスト制御部１２６が該チャンネルリストをカレントに設定し、チャンネルリスト特定処理を終了する。これにより、ユーザが存在する放送エリアに対応したチャンネルリストの利便性を向上させることができる。
【００５２】
ＳＴ１７６では、全体制御部１２１がチャンネルリスト制御部１２６を介して受信チャンネルリスト記憶部１０７に記憶された全てのチャンネルリストを検索し、受信放送局情報と一致する放送局情報が存在するか否かを判定する。存在する（ＹＥＳ）と判定されたらＳＴ１７７に移行し、存在しない（ＮＯ）と判定されたらＳＴ１７８に移行する。
【００５３】
ＳＴ１７７では、チャンネルリスト制御部１２６が、受信放送局情報と一致する放送局情報を含むチャンネルリストをカレントに設定し、チャンネルリスト特定処理を終了する。
【００５４】
ＳＴ１７８では、チャンネルリスト記憶部１０７に記憶された複数のチャンネルリストにそれぞれ対応する放送エリアとは異なる放送エリアであることを全体制御部１２１が表示部１１０に表示させ、新たなチャンネルリストを作成するようにユーザに要求する。または新規のチャンネルリストを作成し、受信可能なチャンネルに選局されたチャンネルを記入する。切り替え選局中に既にチャンネルサーチが行われていた場合は、サーチ結果を新規のチャンネルリストとする。そして、チャンネルリスト特定処理を終了する。これにより、現在地における放送エリアに対応する新規チャンネルリストを取得することになり、いずれの放送エリアにおいてもその放送エリアに対応するチャンネルリストを取得することができる。
【００５５】
次に、図７に示したＳＴ１３４におけるテレビ再生中のチャンネルリスト切り替え処理の詳細な手順について図１０を用いて説明する。図１０において、ＳＴ１８１では、全体制御部１２１がカレントに設定されているチャンネルリストが現在時刻に対応するチャンネルリストであるか否かを判定する。現在時刻に対応するチャンネルリストである（ＹＥＳ）と判定されたら、テレビ再生中のチャンネルリスト切り替え処理を終了し、現在時刻に対応しないチャンネルリストである（ＮＯ）と判定されたらＳＴ１８２に移行する。
【００５６】
ＳＴ１８２では、放送波が正常に受信され、映像及び音声が再生されているかを判定する。放送波を正常に受信している（ＹＥＳ）と判定されたら、ＳＴ１８３に移行する。一方、受信状態が悪く、映像又は音声などがアンダーフローを起こし、再生が停止するような場合など、放送波を正常に受信していない、すなわち、異常受信である（ＮＯ）と判定されたら、ＳＴ１８５に移行する。ここでは、放送波を正常に受信できない原因が単に圏外になったからなのか、放送エリアが変更になったからなのか判定できないため、むやみにチャンネルリストを切り替えないようにした。したがって、選局動作を行うか、あるいはチャンネルリスト切り替え時刻にならない限り、チャンネルリストの切り替えは行わない。
【００５７】
ＳＴ１８３では、現在カレントに設定されているチャンネルリストの次にスケジューリングされているチャンネルリストに、現在テレビ再生中のチャンネル（周波数チャンネル及びサービスチャンネル）が含まれているか否かを確認し、含まれていれば（ＹＥＳ）ＳＴ１８４に移行し、含まれていなければ（ＮＯ）テレビ再生中のチャンネルリスト切り替え処理を終了する。
【００５８】
ＳＴ１８４では、現在時刻に対応するチャンネルリストに切り替える。このとき、選局動作は行わず、テレビ再生を継続し、ＳＴ１８６に移行する。すなわち、テレビ再生を継続したまま、チャンネルリストの切り替えを行う。これにより、チャンネルリスト切り替え時刻になっても、切り替え前のチャンネルリストに含まれるチャンネルを正常に受信し、テレビ再生が行われていれば、チャンネルリストの切り替え及び選局によってテレビ再生が中断することを回避することができる。
【００５９】
ＳＴ１８５では、チャンネルリスト切り替え処理を行い、切り替えたチャンネルリストで正しいか否かを判定したり、異なる放送エリアのチャンネルリストではないかを判定したりする。このＳＴ１８５における処理をテレビ再生異常時選局処理と称し、テレビ再生異常時選局処理の詳細については後述する。
【００６０】
ＳＴ１８６では、チャンネルリストを切り替えたことをユーザに通知し、ＳＴ１８７では、図７に示したＳＴ１３７における自動スケジュール修正処理が行われ、テレビ再生中のチャンネルリスト切り替え処理を終了する。
【００６１】
次に、図１０に示したＳＴ１８５におけるテレビ再生異常時選局処理の詳細な手順について図１１を用いて説明する。図１１において、ＳＴ１９１では、現在時刻に対応するチャンネルリストをカレントに設定し、ＳＴ１９２では、周波数チャンネル選局を行い、周波数チャンネル選局が成功したか否かが全体制御部１２１において判定される。成功した（ＹＥＳ）と判定されたらＳＴ１９３に移行し、失敗した（ＮＯ）と判定されたらＳＴ１９４に移行する。
【００６２】
ＳＴ１９３では、図９に示したチャンネルリスト特定処理を行い、テレビ再生異常時選局処理を終了する。
【００６３】
ＳＴ１９４では、現在カレントに設定されているチャンネルリストの次にスケジューリングされているチャンネルリストが現在時刻から所定時間内、例えば３０分以内に、切り替え時刻となるか否かを判定する。現在時刻から所定時間内に切り替え時刻となる（ＹＥＳ）と判定されたらＳＴ１９５に移行し、切り替え時刻とならない（ＮＯ）と判定されたらテレビ再生異常時選局処理を終了する。
【００６４】
ＳＴ１９５では、現在カレントに設定されているチャンネルリストの次にスケジューリングされているチャンネルリストに切り替え、切り替えたチャンネルリストのラストチャンネルで周波数選局を行い、ＳＴ１９２に戻る。
【００６５】
次に、図７に示したＳＴ１３７における自動スケジュール修正処理の詳細な手順について図１２を用いて説明する。図１２において、ＳＴ２０１では、スケジュール記憶部１０８に記憶されたスケジュール情報を参照することにより、現在カレントに設定されているチャンネルリストが現在時刻に対応するチャンネルリストであるか否かを判定する。現在時刻に対応するチャンネルリストである（ＹＥＳ）と判定されたらＳＴ２０５に移行し、現在時刻に対応するチャンネルリストではない（ＮＯ）と判定されたらＳＴ２０２に移行する。
【００６６】
ＳＴ２０２では、現在カレントに設定されているチャンネルリストが、現在時刻に対応するチャンネルリストの次にスケジューリングされているチャンネルリストであるか否かを判定する。次にスケジューリングされているチャンネルリストである（ＹＥＳ）と判定されたらＳＴ２０３に移行し、次にスケジューリングされているチャンネルリストではない（ＮＯ）と判定されたらＳＴ２０４に移行する。
【００６７】
ＳＴ２０３では、現在カレントに設定されているチャンネルリスト、すなわち、現在時刻に対応するチャンネルリストの次にスケジューリングされているチャンネルリストの切り替え時刻を現在時刻に変更し、自動スケジュール修正処理を終了する。ここでは、デジタル放送受信装置が切り替え時刻より早く次の放送エリアに移動したものとし、チャンネルリストの切り替え時刻を早める処理を行うことになる。
【００６８】
ＳＴ２０４では、現在カレントに設定されているチャンネルリストをカレントに設定した時刻を切り替え時刻として、このチャンネルリストをスケジュール情報に追加し、自動スケジュール修正処理を終了する。
【００６９】
ＳＴ２０５では、前回の自動スケジュール修正処理のＳＴ２０４において追加されたチャンネルリストが、テレビ再生中に用いられたか否かを判定する。すなわち、追加されたチャンネルリスト以外の他のチャンネルリストに切り替える予定があるか否かを判定する。ここでは、追加されたチャンネルリストがテレビ再生中に用いられていなければ、他のチャンネルリストに切り替える予定がある（ＹＥＳ）と判定され、ＳＴ２０６に移行し、追加されたチャンネルリストがテレビ再生中に用いられていれば、他のチャンネルリストに切り替える予定はない（ＮＯ）と判定され、ＳＴ２０７に移行する。
【００７０】
ＳＴ２０６では、前回の自動スケジュール修正処理のＳＴ２０４において追加されたチャンネルリストが用いられていないので、このチャンネルリストを削除し、ＳＴ２０７に移行する。
【００７１】
ＳＴ２０７では、現在時刻に対応するチャンネルリストの切り替え時刻を、このチャンネルリストが実際に切り替えられた時刻に変更し、自動スケジュール修正処理を終了する。
【００７２】
このように、自動スケジュール修正処理を行うことにより、ユーザがスケジュール情報から外れる行動をとる場合でも、ユーザが入力操作又は入力指示を行うことなく、スケジュール情報を柔軟に修正することができる。
【００７３】
このように本実施の形態によれば、複数の異なる放送エリアのチャンネルリストに時刻を対応付けておき、対応付けられた時刻になるとカレントのチャンネルリストとして設定されるため、ユーザが移動することによって放送エリアが切り替わる時刻をチャンネルリストに対応付けておくことによって、ユーザが放送エリアを越えて移動する場合でも、放送エリアを越える時刻で移動先の放送エリアのチャンネルリストに切り替わるので、移動先に応じたチャンネルリストで選局することができる。
【００７４】
本発明の第１の態様は、複数の異なる放送エリアにそれぞれ対応する複数のチャンネルリストに時刻を対応付けて記憶する記憶手段と、現在時刻情報を取得する時刻情報取得手段と、前記時刻情報取得手段によって取得された現在時刻と前記記憶手段に記憶された時刻とが対応するチャンネルリストを現在使用可能なチャンネルリストとして用いるチャンネルリスト制御手段と、を具備するデジタル放送受信装置である。
【００７５】
この構成によれば、デジタル放送受信装置が移動により放送エリアを越える予定時刻をチャンネルリストと対応付けて記憶しておけば、チャンネル制御手段が現在時刻と対応するチャンネルリストを現在使用可能なチャンネルリストとして用いることにより、移動先の放送エリアに対応したチャンネルリストを用いることができる。
【００７６】
本発明の第２の態様は、上記態様において、現在使用可能なチャンネルリストとして用いられている第１のチャンネルリストに含まれるサービスチャンネルを選局する選局手段を具備し、前記チャンネルリスト制御手段は、現在使用可能なチャンネルリストとして前記第１のチャンネルリストから前記第１のチャンネルリストとは異なる第２のチャンネルリストに切り替える際、前記選局手段が選局しているサービスチャンネルが前記第２のチャンネルリストに含まれている場合、前記選局手段が選局しているサービスチャンネルの選局を維持させつつ、チャンネルリストを切り替えるデジタル放送受信装置である。
【００７７】
この構成によれば、テレビ再生中又はテレビ録画中などの選局中のサービスチャンネルが第２のチャンネルリストに含まれていれば、選局を維持しつつ、チャンネルリストを切り替えることができる。
【００７８】
本発明の第３の態様は、上記態様において、現在使用可能なチャンネルリストとして用いられている第１のチャンネルリストに含まれるサービスチャンネルを選局する選局手段を具備し、前記チャンネルリスト制御手段が、前記選局手段が選局しているサービスチャンネルが前記第１のチャンネルリストとは異なる第２のチャンネルリストに含まれていない場合、前記選局手段が選局しているサービスチャンネルの選局が中断されてからチャンネルリストを切り替えるデジタル放送受信装置である。
【００７９】
この構成によれば、選局中のサービスチャンネルが第２のチャンネルリストに含まれていない場合、サービスチャンネルの選局が中断されてからチャンネルリストを切り替えることにより、記憶手段に記憶された時刻となってもテレビ再生又はテレビ録画を可能な限り継続させることができる。
【００８０】
本発明の第４の態様は、上記態様において、現在使用可能なチャンネルリストとして用いられている第１のチャンネルリストに含まれるサービスチャンネルを選局する選局手段を具備し、前記チャンネルリスト制御手段が、前記第１のチャンネルリストに含まれるチャンネルの選局が前記選局手段において失敗した場合、または、前記選局手段が選局しているサービスチャンネルの選局が中断された場合、前記時刻情報取得手段によって取得された現在時刻に近い時刻が対応付けられた第２のチャンネルリストに含まれるチャンネルのうち、前記第１のチャンネルリストには含まれないチャンネル、または、前記第２のチャンネルリストが現在使用可能なチャンネルとして前回用いられた際に最後に選局されていたチャンネルで前記選局手段に選局させ、選局が成功することを条件に前記第２のチャンネルリストに切り替えるデジタル放送受信装置である。
【００８１】
この構成によれば、第１のチャンネルリストを用いた選局の失敗、または、第１のチャンネルリストを用いた選局の中断が生じた場合、デジタル放送受信装置が記憶手段に記憶された時刻よりも早く放送エリアを越えてしまったことが考えられるので、現在時刻に近い時刻が対応付けられた第２のチャンネルリストを用いることにより、チャンネルリストの切り替えに要する時間を短縮することができる。また、第１のチャンネルリストには含まれないチャンネル、または、第２のチャンネルリストが現在使用可能なチャンネルとして前回用いられた際に最後に選局されていたチャンネルで選局することにより、選局に成功させる可能性を高めることができる。
【００８２】
本発明の第５の態様は、上記態様において、現在使用可能なチャンネルリストとして用いられている第１のチャンネルリストに含まれるサービスチャンネルを選局する選局手段を具備し、前記チャンネルリスト制御手段が、前記選局手段による選局が成功した周波数チャンネルの組合せが、前記記憶手段に記憶されたチャンネルリストにおける周波数チャンネルのいずれの組合せとも異なる場合、現在地における放送エリアに対応する新規チャンネルリストを取得するデジタル放送受信装置である。
【００８３】
本発明の第６の態様は、上記態様において、現在使用可能なチャンネルリストとして用いられている第１のチャンネルリストに含まれるサービスチャンネルを選局する選局手段を具備し、前記チャンネルリスト制御手段が、前記記憶手段に記憶された全てのチャンネルリストに含まれるチャンネルでの選局が前記選局手段において失敗した場合、前記選局手段に周波数チャンネルで選局が成功するまでチャンネルサーチを行わせ、現在地における放送エリアに対応する新規チャンネルリストを取得するデジタル放送受信装置である。
【００８４】
これらの構成によれば、選局が成功した周波数チャンネルの組合せが、記憶手段に記憶されたチャンネルリストにおける周波数チャンネルのいずれの組合せとも異なる場合、記憶手段に記憶されたチャンネルリストに対応する放送エリア以外のエリアにデジタル放送受信装置が存在することが考えられるので、現在地における放送エリアに対応する新規チャンネルリストを取得することにより、いずれの放送エリアにおいてもその放送エリアに対応するチャンネルリストを用いることができる。
【００８５】
本発明の第７の態様は、上記態様において、前記チャンネルリスト制御手段が、前記第１のチャンネルリストから前記第２のチャンネルリストへの切り替えが、前記記憶手段に記憶された前記第２のチャンネルリストに対応付けられた時間よりも遅い場合、前記第２のチャンネルリストに対応付けられた時刻をチャンネルリストの切り替え時における時刻に更新するデジタル放送受信装置である。
【００８６】
この構成によれば、第２のチャンネルリストへの切り替えが、第２のチャンネルリストに対応付けられた時間よりも遅い場合、対応付けられた時刻をチャンネルリストの切り替え時における時刻に更新することにより、定期的に特定の放送エリアに移動する場合、次に第２のチャンネルリストを用いる際に、タイミングよく用いることができる。
【００８７】
本発明の第８の態様は、上記態様において、前記チャンネルリスト制御手段が、前記第１のチャンネルリストから前記第２のチャンネルリストへの切り替えが、前記記憶手段に記憶された前記第２のチャンネルリストに対応付けられた時間よりも早い場合、前記第２のチャンネルリストに対応付けられた時刻をチャンネルリストの切り替え時における時刻に更新するデジタル放送受信装置である。
【００８８】
この構成によれば、第２のチャンネルリストへの切り替えが、第２のチャンネルリストに対応付けられた時間よりも早い場合、対応付けられた時刻をチャンネルリストの切り替え時における時刻に更新することにより、定期的に特定の放送エリアに移動する場合、次に第２のチャンネルリストを用いる際に、タイミングよく用いることができる。
【００８９】
本発明の第９の態様は、上記態様において、前記チャンネルリスト制御手段が、前記記憶手段に記憶された時刻の順とは異なるチャンネルリストに切り替える場合、切り替えられたチャンネルリストを切り替えた時刻に対応付けて前記記憶手段に新たに記憶させるデジタル放送受信装置である。
【００９０】
この構成によれば、記憶手段に記憶された時刻の順とは異なるチャンネルリストに切り替える場合、デジタル放送受信装置の移動に伴って、定期的に越える特定の放送エリアが変更されたことが考えられるので、切り替えられたチャンネルリストを切り替えた時刻に対応付けて新たに記憶することにより、特定の放送エリアへの定期的な移動が変更された場合でも、その放送エリアに対応するチャンネルリストを用いることができる。
【００９１】
本発明の第１０の態様は、上記態様において、前記チャンネルリスト制御手段が、前記記憶手段に新たに記憶された時刻が対応付けられたチャンネルリストに切り替えることなく、次のチャンネルリストに切り替える場合、切り替えられなかったチャンネルリストを前記記憶手段から削除するデジタル放送受信装置である。
【００９２】
この構成によれば、記憶手段に新たに記憶された時刻が対応付けられたチャンネルリストに切り替えることなく、次のチャンネルリストに切り替える場合、切り替えられなかったチャンネルリストは次回も用いられないことが考えられるので、記憶手段から削除することにより、定期的に特定の放送エリアに移動する場合、移動先の放送エリアに対応したチャンネルリストをタイミングよく用いることができる。
【００９３】
本発明の第１１の態様は、上記態様において、現在使用可能なチャンネルリストとして用いられている第１のチャンネルリストに含まれるサービスチャンネルを選局する選局手段を具備し、前記選局手段が、選局している前記第１のチャンネルリストに含まれるサービスチャンネルが前記第１のチャンネルリストとは異なる第２のチャンネルリストに含まれていない場合、選局しているサービスチャンネルを提供する放送局と同一の系列局のチャンネルで選局するデジタル放送受信装置である。
【００９４】
この構成によれば、選局している第１のチャンネルリストに含まれるサービスチャンネルが第２のチャンネルリストに含まれていない場合でも、選局しているサービスチャンネルを提供する放送局と同一の系列局のチャンネルで選局することにより、移動先の放送エリアでも同一番組のテレビ再生又はテレビ録画を継続させる可能性を向上させることができる。
【００９５】
本発明の第１２の態様は、上記態様において、現在使用可能なチャンネルリストとして用いられている第１のチャンネルリストに含まれるサービスチャンネルを選局する選局手段を具備し、前記選局手段が、選局している前記第１のチャンネルリストに含まれるサービスチャンネルが前記第１のチャンネルリストとは異なる第２のチャンネルリストに含まれていない場合、前記第２のチャンネルリストが現在使用可能なチャンネルとして前回用いられた際に最後に選局されていたチャンネルで選局するデジタル放送受信装置である。
【００９６】
この構成によれば、選局している第１のチャンネルリストに含まれるサービスチャンネルが第２のチャンネルリストに含まれていない場合でも、第２のチャンネルリストが現在使用可能なチャンネルとして前回用いられた際に最後に選局されていたチャンネルで選局することができる。
【００９７】
本発明の第１３の態様は、上記態様において、現在使用可能なチャンネルリストとして用いられている第１のチャンネルリストに含まれるサービスチャンネルを選局する選局手段を具備し、前記選局手段が、前記第１のチャンネルリストとは異なる第２のチャンネルリストに含まれる放送局の番組情報に基づいて、前記第１のチャンネルリストに含まれるチャンネルで選局していた番組と同一の番組を放送するチャンネルで選局するデジタル放送受信装置である。
【００９８】
この構成によれば、第２のチャンネルリストに含まれる放送局の番組情報に基づいて、第１のチャンネルリストに含まれるチャンネルで選局していた番組と同一の番組を放送するチャンネルで選局することにより、移動先の放送エリアでも同一番組のテレビ再生又はテレビ録画を継続させる可能性を向上させることができる。
【００９９】
本明細書は、２００４年１１月２９日出願の特願２００４−３４４７３２に基づくものである。この内容は全てここに含めておく。
【産業上の利用可能性】
【０１００】
本発明にかかるデジタル放送受信装置は、装置規模及び消費電力を増大させることなく、チャンネルリストを切り替えるという効果を有し、携帯電話等の携帯端末に適用することができる。
【図面の簡単な説明】
【０１０１】
【図１】チャンネルの定義を概念的に示す図
【図２】特許文献１に記載されたデジタル放送受信装置の構成を示すブロック図
【図３】本発明の実施の形態１に係るデジタル放送受信装置の構成を示すブロック図
【図４】図３に示したチャンネルリスト記憶部が有するチャンネルリストを示す図
【図５】図３に示したスケジュール記憶部が有するスケジュール情報を示す図
【図６】図３に示した制御部の内部構成を示すブロック図
【図７】図３に示したデジタル放送受信装置の起動から終了までの一連の動作を示すフロー図
【図８】図７に示した選局処理の手順を示すフロー図
【図９】図８に示したチャンネルリスト特定処理の手順を示すフロー図
【図１０】図７に示したテレビ再生中のチャンネルリスト切り替え処理の手順を示すフロー図
【図１１】図１０に示したテレビ再生異常時選局処理の手順を示すフロー図
【図１２】図７に示した自動スケジュール修正処理の手順を示すフロー図
【手続補正３】
【補正対象書類名】図面
【補正対象項目名】全図
【補正方法】変更
【補正の内容】
【図１】
2006057386.tif 000014
【図２】
2006057386.tif 000015
【図３】
2006057386.tif 000016
【図４】
2006057386.tif 000017
【図５】
2006057386.tif 000018
【図６】
2006057386.tif 000019
【図７】
2006057386.tif 000020
【図８】
2006057386.tif 000021
【図９】
2006057386.tif 000022
【図１０】
2006057386.tif 000023
【図１１】
2006057386.tif 000024
【図１２】
2006057386.tif 000025
【国際調査報告】
2006057386.tif 000026
2006057386.tif 000027
2006057386.tif 000028
2006057386.tif 000029